(57)【要約】      （修正有）【課題】高度制御通信路を形成するために、無線通信システムの中においてダウンリンクの制御情報を送信するための方法を提供する。【解決手段】方法は、ダウンリンクの制御情報を送信するためのリソース要素の重ならないサブセットを集約するために使用される、アグリゲーションレベルのセットのメンバーを決定する２７１０。この決定は、ダウンリンクの制御情報の送信のために使用されるパンクチャリングのレベルに基づく。所与のサブフレームに対するダウンリンクの制御情報は、決定されたセットから選ばれるアグリゲーションレベルにしたがって、時間周波数リソースの少なくとも１つのブロックの中のリソース要素の１以上の重ならないサブセットに対してマッピングする２７２０。この方法はいくつかのサブフレームのうちの各々に対して繰り返され、ここで、パンクチャリングはサブフレーム毎に異なる。【選択図】図２７
2018026834.tif 000002
【特許請求の範囲】
【請求項１】
無線通信システムの中においてダウンリンクの制御情報を送信するための方法であって、前記方法は、時間周波数リソースの少なくとも１つのブロックの中のリソース要素の複数の重ならないサブセットが、前記ダウンリンクの制御情報を送信するために集約される、第１のサブフレームに対して、
第１のダウンリンクの制御情報を送信するためのリソース要素の前記重ならないサブセットを集約するために使用可能なアグリゲーションレベルの第１のセットのメンバーを決定すること（２７１０）を含み、前記決定は、前記第１のダウンリンクの制御情報の前記送信のために使用されるパンクチャリングのレベルに基づき、
前記第１のダウンリンクの制御情報を、決定された前記第１のセットから選ばれたアグリゲーションレベルにしたがって、時間周波数リソースの前記少なくとも１つのブロックの中のリソース要素の１以上の第１の重ならないサブセットにマッピングすること（２７２０）と、
前記１以上の第１の重ならないサブセットの中の前記第１のダウンリンクの制御情報を送信すること（２７３０）とを含むことを特徴とする、方法。
【請求項２】
第２のサブフレームに対して、
第２のダウンリンクの制御情報の送信のために使用されるパンクチャリングのレベルに基づいて、アグリゲーションレベルの第２のセットのメンバーを決定することをさらに含み、前記第２のセットは前記第１のセットと異なり、
前記第２のダウンリンクの制御情報を、決定された前記第２のセットから選ばれたアグリゲーションレベルにしたがって、時間周波数リソースの前記少なくとも１つのブロックの中のリソース要素の１以上の第２の重ならないサブセットに対してマッピングすることと、
前記１以上の第２の重ならないサブセットの中の前記第２のダウンリンクの制御情報を送信することとをさらに含む、請求項１に記載の方法。
【請求項３】
前記第１のダウンリンクの制御情報の前記送信のために使用される前記パンクチャリングのレベルは、前記第１のサブフレームの中の時間周波数リソースの前記少なくとも１つのブロックの中において送信される任意の数の基準信号に応じる、請求項１又は２に記載の方法。
【請求項４】
前記第１のダウンリンクの制御情報の前記送信のために使用される前記パンクチャリングのレベルは、時間周波数リソースの前記少なくとも１つのブロックの中の制御情報のために排他的に蓄えられる任意の数の直交周波数分割多重（ＯＦＤＭ）記号に応じる、請求項１から３のいずれか一項に記載の方法。
【請求項５】
時間周波数リソースの前記少なくとも１つのブロックは、ロングタームエボリューション（ＬＴＥ）ネットワークの中の物的リソースブロック（ＰＲＢ）ペアである、請求項１から４のいずれか一項に記載の方法。
【請求項６】
リソースの重ならないサブセットは、ロングタームエボリューション（ＬＴＥ）ネットワークの中の高度ＣＣＥ（ｅＣＣＥ）を定義する、請求項１から４のいずれか一項に記載の方法。
【請求項７】
無線通信システムの中においてダウンリンクの制御情報を受信するための方法であって、前記方法は、時間周波数リソースの少なくとも１つのブロックの中のリソース要素の複数の重ならないサブセットが、第１のダウンリンクの制御情報の受信された送信のために集約される、第１のサブフレームに対して、
前記第１のダウンリンクの制御情報の前記受信された送信のためのリソース要素の前記重ならないサブセットを集約するために使用可能なアグリゲーションレベルの第１のセットのメンバーを決定すること（２８１０）を含み、前記決定は、前記第１のダウンリンクの制御情報の前記受信された送信のために使用されるパンクチャリングのレベルに基づき、
前記第１のダウンリンクの制御情報を、決定された前記第１のセットから選ばれたアグリゲーションレベルにしたがって、時間周波数リソースの前記少なくとも１つのブロックの中のリソース要素の１以上の第１の重ならないサブセットからの前記第１のダウンリンクの制御情報を、マッピング解除することによって受信すること（２８２０）を含むことを特徴とする、方法。
【請求項８】
第２のサブフレームに対して、
第２のダウンリンクの制御情報の受信された送信のために使用されるパンクチャリングのレベルに基づいて、アグリゲーションレベルの第２のセットのメンバーを決定することをさらに含み、前記第２のセットは前記第１のセットと異なり、
前記第２のダウンリンク制御情報を、決定された前記第２のセットから選ばれたアグリゲーションレベルにしたがって、時間周波数リソースの前記少なくとも１つのブロックの中のリソース要素の１以上の重ならないサブセットからの前記第２のダウンリンクの制御情報を、マッピング解除することによって受信することをさらに含む、請求項７に記載の方法。
【請求項９】
前記第１のダウンリンクの制御情報の前記受信された送信のために使用される前記パンクチャリングのレベルは、前記第１のサブフレームの中の時間周波数リソースの前記少なくとも１つのブロックの中の任意の数の基準信号に応じる、請求項７又は８に記載の方法。
【請求項１０】
前記第１のダウンリンクの制御情報の前記受信された送信のために使用される前記パンクチャリングのレベルは、時間周波数リソースの前記少なくとも１つのブロックの中の制御情報のために排他的に蓄えられる任意の数の直交周波数分割多重（ＯＦＤＭ）記号に応じる、請求項７から９のいずれか一項に記載の方法。
【請求項１１】
時間周波数リソースの前記少なくとも１つのブロックは、ロングタームエボリューション（ＬＴＥ）ネットワークの中の物的リソースブロック（ＰＲＢ）ペアである、請求項７から１０のいずれか一項に記載の方法。
【請求項１２】
無線通信システムの中のダウンリンクの制御情報を送信するように構成される基地局機構（２９００）であって、前記基地局機構（２９００）は、無線インターフェースを覆う無線信号を受信しかつ送信するように適合される送信機回路（２９０８）及び受信機回路（２９０６）を備え、かつ１以上の処理回路（２９０２、２９０４）をさらに備え、前記処理回路（２９０２、２９０４）は、その中で時間周波数リソースの少なくとも１つのブロックの中のリソース要素の複数の重ならないサブセットがダウンリンクの制御情報を送信するために集約される第１のサブフレームに対して、
第１のダウンリンクの制御情報を送信するためのリソース要素の前記重ならないサブセットを集約するために使用可能なアグリゲーションレベルの第１のセットのメンバーを決定し、前記決定は、前記第１のダウンリンクの制御情報の前記送信のために使用されるパンクチャリングのレベルに基づき、
前記第１のダウンリンク制御情報を、決定された前記第１のセットから選ばれたアグリゲーションレベルにしたがって、時間周波数リソースの前記少なくとも１つのブロックの中のリソース要素の１以上の第１の重ならないサブセットに対してマッピングし、
前記送信機回路（２９０８）を使用して、前記１以上の第１の重ならないサブセットの中の前記第１のダウンリンクの制御情報を送信するように、適合されることを特徴とする、基地局機構（２９００）。
【請求項１３】
前記処理回路（２９０２、２９０４）は、第２のサブフレームに対して、
第２のダウンリンクの制御情報の送信のために使用されるパンクチャリングのレベルに基づいて、アグリゲーションレベルの第２のセットのメンバーを決定し、前記第２のセットは前記第１のセットと異なり、
前記第２のダウンリンクの制御情報を、決定された前記第２のセットから選ばれたアグリゲーションレベルにしたがって、時間周波数リソースの前記少なくとも１つのブロックの中のリソース要素の１以上の第２の重ならないサブセットに対してマッピングし、
前記１以上の第２の重ならないサブセットの中の前記第２のダウンリンクの制御情報を送信するようにさらに適合される、請求項１２に記載の基地局機構（２９００）。
【請求項１４】
前記第１のダウンリンクの制御情報の前記送信のために使用される前記パンクチャリングのレベルは、前記第１のサブフレームの中の時間周波数リソースの前記少なくとも１つのブロックの中において送信される任意の数の基準信号に応じる、請求項１２又は１３に記載の基地局機構（２９００）。
【請求項１５】
前記第１のダウンリンクの制御情報の前記送信のために使用される前記パンクチャリングのレベルは、時間周波数リソースの前記少なくとも１つのブロックの中の制御情報のために排他的に蓄えられる任意の数の直交周波数分割多重（ＯＦＤＭ）記号に応じる、請求項１２から１４のいずれか一項に記載の基地局機構（２９００）。
【請求項１６】
時間周波数リソースの前記少なくとも１つのブロックは、ロングタームエボリューション（ＬＴＥ）ネットワークの中の物的リソースブロック（ＰＲＢ）ペアである、請求項１２から１５のいずれか一項に記載の基地局機構（２９００）。
【請求項１７】
無線通信システムの中のダウンリンクの制御情報を受信するように構成されるユーザ装置機構（３０００）であって、前記ユーザ装置機構（３０００）は、無線インターフェースを覆う無線信号を受信しかつ送信するように適合される送信機回路（３００８）及び受信機回路（３００６）を備え、かつ１以上の処理回路（３００２、３００４）をさらに備え、前記処理回路（３００２、３００４）は、その中で時間周波数リソースの少なくとも１つのブロックの中のリソース要素の複数の重ならないサブセットが第１のダウンリンクの制御情報の受信された送信のために集約される第１のサブフレームに対して、
前記第１のダウンリンクの制御情報の前記受信された送信のためのリソース要素の前記重ならないサブセットを集約するために使用可能なアグリゲーションレベルの第１のセットのメンバーを決定し、前記決定は、前記第１のダウンリンクの制御情報の前記受信された送信のために使用されるパンクチャリングのレベルに基づき、
前記第１のダウンリンクの制御情報を、決定された前記第１のセットから選ばれたアグリゲーションレベルにしたがって、時間周波数リソースの前記少なくとも１つのブロックの中のリソース要素の１以上の第１の重ならないサブセットからの前記第１のダウンリンクの制御情報をマッピング解除することによって、受信するように適合されることを特徴とする、ユーザ装置機構（３０００）。
【請求項１８】
前記１以上の処理回路（３００２、３００４）は、第２のサブフレームに対して、
第２のダウンリンクの制御情報の受信された送信のために使用されるパンクチャリングのレベルに基づいて、アグリゲーションレベルの第２のセットのメンバーを決定し、前記第２のセットは前記第１のセットと異なり、
前記第２のダウンリンクの制御情報を、決定された前記第２のセットから選ばれたアグリゲーションレベルにしたがって、時間周波数リソースの前記少なくとも１つのブロックの中のリソース要素の１以上の第２の重ならないサブセットからの前記第２のダウンリンクの制御情報をマッピング解除することによって、受信するようにさらに適合される、請求項１７に記載のユーザ装置。
【請求項１９】
前記第１のダウンリンクの制御情報の前記受信された送信のために使用される前記パンクチャリングのレベルは、前記第１のサブフレームの中の時間周波数リソースの前記少なくとも１つのブロックの中の任意の数の基準信号に応じる、請求項１７又は１８に記載のユーザ装置機構（３０００）。
【請求項２０】
前記第１のダウンリンクの制御情報の前記受信された送信のために使用される前記パンクチャリングのレベルは、時間周波数リソースの前記少なくとも１つのブロックの中の制御情報のために排他的に蓄えられる任意の数の直交周波数分割多重（ＯＦＤＭ）記号に応じる、請求項１７から１９のいずれか一項に記載のユーザ装置機構（３０００）。
【請求項２１】
時間周波数リソースの前記少なくとも１つのブロックは、ロングタームエボリューション（ＬＴＥ）ネットワークの中の物的リソースブロック（ＰＲＢ）ペアである、請求項１７から２０のいずれか一項に記載のユーザ装置機構（３０００）。
【請求項２２】
無線通信システムの中においてダウンリンクの制御情報を送信するための方法であって、
第１のサブフレームの中においてかつ第１のＰＲＢペアを使用して、第１の制御メッセージを第１のユーザ装置、ＵＥ、に対して送信することを含み、前記第１の制御メッセージはリソース要素の２以上の第１の重ならないサブセットの中に分割され、それらのうちの少なくとも１つは前記第１のＰＲＢペアの中にあり、リソース要素の前記２以上の第１の重ならないサブセットは少なくとも前記第１のＰＲＢペアの範囲内において周波数がローカライズされるやり方で集約され、かつリソース要素の前記２以上の第１の重ならないサブセットの中の記号は単一のアンテナポートを使用して送信され、
また前記第１のサブフレームの中においてかつまた第１のＰＲＢペアを使用して、第２の制御メッセージを第２のＵＥに対して送信することを含み、前記第２の制御メッセージはリソース要素の２以上の第２の重ならないサブセットの中に分割され、それらのうちの少なくとも１つは前記第１のＰＲＢペアの中にあり、リソース要素の前記２以上の第２の重ならないサブセットは前記第１のＰＲＢペア及び１以上の付加的なＰＲＢペアにわたり周波数が分配されるやり方で集約され、かつリソース要素の前記２以上の第２の重ならないサブセットのうちの少なくとも２つの中の記号は異なるアンテナポートを使用して送信され、前記異なるアンテナポートはリソース要素の前記２以上の第１の重ならないサブセットの中の記号を送信するために使用される前記単一のアンテナポートを含む、方法。
【請求項２３】
リソースの前記重ならないサブセットのうちの各々は、ロングタームエボリューション（ＬＴＥ）ネットワークの中の高度ＲＥＧ（ｅＲＥＧ）を定義する、請求項２２に記載の方法。
【発明の詳細な説明】
【技術分野】
【０００１】
関連出願の相互参照
本出願は、２０１２年３月１９日に出願された米国仮特許出願番号６１／６１２，８０３の利益及び優先権を主張する。前記米国仮特許出願の全体の内容は、参照されることによって本明細書の中に組み込まれる。
【０００２】
本開示は、無線通信システムの中の制御通信路の信号伝達に関し、より具体的には、送信リソースを集約して高度制御通信路の信号を形成するための技術に関する。
【背景技術】
【０００３】
第３世代のパートナーシッププロジェクト（３ＧＰＰ）は、進化したユニバーサルテレストリアルラジオアクセスネットワーク（ＵＴＲＡＮ）の明細書の中で文書化されているように、ロングタームエボリューション（ＬＴＥ）技術として知られる第３世代の無線通信を開発してきた。ＬＴＥは、基地局（３ＧＰＰの文書の中でｅＮｏｄｅＢｓ又はｅＮＢｓとして言及される）から移動局（３ＧＰＰの文書の中でユーザ装置又はＵＥｓとして言及される）への送信が、直交周波数分割多重（ＯＦＤＭ）を使用して送られる、携帯電話の広帯域無線通信技術である。ＯＦＤＭは、送信された信号を周波数における多重平行副搬送波の中へと分割する。
【０００４】
より具体的には、ＬＴＥは、ダウンリンクにおいてＯＦＤＭを使用し、かつアップリンクにおいて離散型フーリエ変換（ＤＦＴ）で広まったＯＦＤＭを使用する。基本的なＬＴＥダウンリンクの物的リソースは、時間周波数リソースのグリッドとして見られることができる。図１は、ＬＴＥに対する例示的なＯＦＤＭの時間周波数リソースのグリッド５０の利用可能なスペクトルの一部を示している。一般的に言って、時間周波数リソースのグリッド５０は、１ミリ秒のサブフレームに分割される。図１及び図２の中において見られるように、各々のサブフレームは、任意の数のＯＦＤＭ記号を含む。多経路分散が極端に厳しいとは予期されない状況における使用に対して適切な、通常のサイクリックプレフィクス（ＣＰ）の長さに対して、サブフレームは１４個のＯＦＤＭ記号から成る。サブフレームは、拡張されたサイクリックプレフィクスが使用される場合、１２個のＯＦＤＭ記号しか持たない。周波数領域において、物的リソースは、１５キロヘルツの間隔を伴う隣接する副搬送波に分割される。副搬送波の数は、割り当てられるシステムの帯域幅にしたがって変化する。時間周波数リソースのグリッド５０の最も小さい要素は、リソース要素である。リソース要素は、１つのＯＦＤＭ記号の間隔の間の１つのＯＦＤＭ副搬送波から成る。
【０００５】
ＬＴＥのリソース要素は、リソースブロック（ＲＢｓ）の中へグループ化され、それは、その最も普通の構成において、１２個の副搬送波及び７個のＯＦＤＭ記号（１スロット）から成る。それ故、ＲＢは典型的には８４個のＲＥｓから成る。所与の無線サブフレーム（２スロット）の中の１２個の副搬送波の同じセットを占める２個のＲＢｓは、ＲＢペアとして言及され、それは、通常のＣＰが使用される場合、１６８個のリソース要素を含む。それ故、ＬＴＥの無線副搬送波は、周波数の中の複数のＲＢペアから成り、ＲＢペアの数が信号の帯域幅を決定する。時間領域において、ＬＴＥのダウンリンク送信は１０ミリ秒の無線フレームの中へと組織化され、各々の無線フレームは、長さがＴsubframe＝１ミリ秒の１０個の等しいサイズのサブフレームから成る。
【０００６】
ｅＮＢによって１以上のＵＥｓへ送信される信号は、複数のアンテナから送信される。同様に、信号は、複数のアンテナを有するＵＥにおいて受信される。ｅＮＢの間の無線通信路は、複数のアンテナポートから送信される信号を歪ませる。ダウンリンク送信を上手く復調させるために、ＵＥはダウンリンクの上で送信される参照記号を頼りにする。これらの参照記号のうちのいくつかは、図２の中において示されるリソースのグリッド５０の中で描かれている。これらの参照記号及び時間周波数リソースのグリッドの中のそれらの位置は、ＵＥに知られており、それ故、これらの記号の上の無線通信路の効果を測定することによって、チャネル推定値を決定するために使用されることができる。
【０００７】
いくつかの技術が、複数の送信及び／又は受信アンテナの有用性を利用するために使用される。これらのうちのいくつかは、マルチ入力マルチ出力（ＭＩＭＯ）送信技術として言及される。複数の送信アンテナが利用可能である場合に使用される１つの例示的な技術は、「送信プレコーディング」と呼ばれ、特定の受信用のＵＥに向かう信号エネルギーの指向送信を含む。このアプローチに伴って、特定のＵＥを目標にする信号は、いくつかのアンテナの各々を覆うように同時発生的に送信されるが、各々の送信アンテナ要素における信号に対して個別の大きさ及び／又は位相の重みづけが適用される。信号に対するこの重みづけの適用は、「プレコーディング」として言及され、かつ特定の送信に対するアンテナの重みづけは、プレコーディングベクトルによって包括的なやり方の中で数学的に表現することができる。
【０００８】
この技術は、時々、ＵＥに特有のプレコーディングとして言及される。プレコーディングされた送信に付随し、かつその復調のために使用される参照記号は、ＵＥに特有の参照記号（ＵＥに特有のＲＳ）を意味する。所与のＲＢの中でＵＥに特有のＲＳを作り上げる送信記号が、同じＵＥに特有のプレコーディングを用いてそのＲＢの中で伝えられるデータ（この意味でデータは制御情報である）としてプレコーディングされる場合、その後、ＵＥに特有のＲＳ及びデータの送信は、それらが単一の仮想アンテナ、すなわち単一のアンテナポートを使用して実行されたかのように扱われることができる。目標とされるＵＥは、ＵＥに特有のＲＳを使用してチャネル推定を実行し、かつその結果としてもたらされるチャネル推定値を、ＲＢの中のデータを復調させるための参照として使用する。
【０００９】
ＵＥに特有のＲＳは、データがＲＢペアの中のＵＥに送信される場合にのみ送信され、かつそうでない場合には存在しない。ＬＴＥの仕様書のリリース８、９、及び１０において、ＵＥに特有の基準信号は、物的なダウンリンクシェアードデータチャネル（ＰＤＳＣＨ）の復調のためにＵＥに割り当てられるＲＢｓのうちの各々の部分として含まれる。ＬＴＥの仕様書のリリース１０はまた、ダウンリンク送信の空間多重化を支持し、８個の空間多重化された「層」が同時発生的に送信されることを可能にする。したがって、８個の直交するＵＥに特有のＲＳが存在し、それらは３ＧＰＰの文書「進化したユニバーサルテレストリアルラジオアクセス（Ｅ−ＵＴＲＡ）；物理チャネル及び変調」の中で説明され、３ＧＰＰＴＳ３６．２１１，ｖ．１０．０．０（２０１２年１２月），ｗｗｗ．３ｇｐｐ．ｏｒｇ．において利用可能である。これらは、アンテナポート７から１５として示されている。図３は、ＲＢペアに対するＵＥに特有の参照記号のマッピングの実施例を示し；この実施例の中において、アンテナポート７及び９が示されている。アンテナポート８及び１０は、それぞれアンテナポート７及び９の頂の上の符号分割多重参照記号として得ることができる。
【００１０】
参照記号の別のタイプは、全てのＵＥｓによって使用されることができるものである。それ故、これらの参照記号は、広いセル面積の範囲を有する必要があり、それ故、任意の特定のＵＥに向かってプレコーディングされない。一実施例は、様々な目的ためにＵＥｓによって使用される共通の参照記号（ＣＲＳ）であり、チャネル推定値及び移動度測定値を含んでいる。これらのＣＲＳは、サブフレームの中でユーザに送られている任意のデータが存在するか否かに関わらず、それらが、システムの帯域幅の中の全てのサブフレームの範囲内において一定の予め定義されたＲＥｓを占めるように定義される。これらのＣＲＳは、図２の中において「参照記号」として示されている。
【００１１】
参照記号の別のタイプは、チャネル状態情報ＲＳ（ＣＳＩ−ＲＳ）であり、ＬＴＥの仕様書のリリース１０の中で紹介されている。ＣＳＩ−ＲＳは、上述されたＵＥに特有のＲＳを使用する送信モードのためのプレコーディングマトリックス及び送信ランク選択に関する測定のために使用される。ＣＳＩ−ＲＳはまた、ＵＥに特有の構成を有する。さらに別のＲＳのタイプは、位置決めＲＳ（ＰＲＳ）であり、それは、ネットワークの中におけるＵＥｓの位置決めを改善するために、ＬＴＥのリリース９の中で紹介されている。
【００１２】
ユーザに対する無線リンクを覆って送信されるメッセージは、制御メッセージ又はデータメッセージとして広く分類されることができる。制御メッセージは、システムの範囲内における各々のＵＥの正常な作動と同様に、システムの正常な作動を容易にするために使用される。制御メッセージは、ＵＥから送信される出力、データがその範囲内でＵＥによって受信されるべき又はＵＥから送信されるべきＲＢｓの信号伝達などの、機能を制御するためのコマンドを含む。
【００１３】
システム機能に対するＬＴＥ信号の中の時間周波数リソースの具体的な割り当ては、物理チャネルとして言及される。例えば、物的なダウンリンク制御通信路（ＰＤＣＣＨ）は、スケジューリング情報及び出力制御メッセージを運ぶために使用される物理チャネルである。物的なＨＡＲＱ表示チャネル（ＰＨＩＣＨ）は、以前のアップリンク送信に反応してＡＣＫ／ＮＡＣＫを運び、かつ物的な放送チャネル（ＰＢＣＨ）はシステム情報を運ぶ。１次及び２次の同期信号（ＰＳＳ／ＳＳＳ）はまた、制御信号として見られることができ、かつ固定された位置並びに時間及び周波数における周期性を有し、それによって、ネットワークに最初にアクセスするＵＥｓはそれらを見つけて同期することができる。同様に、ＰＢＣＨは、１次及び２次の同期信号（ＰＳＳ／ＳＳＳ）に関する固定された位置を有する。それ故、ＵＥは、ＢＣＨの中において送信されたシステム情報を受信することができ、かつそのシステム情報を使ってＰＤＣＣＨを見つけて復調／復号することができ、ＰＤＣＣＨはＵＥに特有の制御情報を運ぶ。
【００１４】
ＬＴＥの仕様書のリリース１０に関して、ＵＥｓに対する全ての制御メッセージは、共通の基準信号（ＣＲＳ）から発生するチャネル推定値を使用して復調される。このことは、制御信号が、セル幅の受信可能範囲を有し、ＵＥｓの位置についての任意の特定の知識を有するｅＮＢなしに、セルの中の全てのＵＥｓに到達することを可能にする。この一般的なアプローチに対する例外はＰＳＳ及びＳＳＳであり、それらは独立した信号でありかつ復調の前にＣＲＳの受信を要求しない。サブフレームの４個のＯＦＤＭ記号に対する最初の１つは、そのような制御情報を運ぶために蓄えられ；１つのＯＦＤＭの記号は図２の中において示される例示的なサブフレームの中でこの目的のために使用され、ここで、制御領域は制御信号伝達のために３個までのＯＦＤＭを含む。制御領域に対して蓄えられるＯＦＤＭ記号の実際の数は、特定のセルの構成に応じて変化する。
【００１５】
制御メッセージは、１つのＵＥ（ＵＥに特有の制御）に対してのみ送られる必要があるメッセージ、及び全てのＵＥｓ若しくはセルがｅＮＢによってカバーされている範囲内の１より多い数のＵＥｓのいくつかのサブセットに対して送られる必要があるメッセージの中に分類されることができる。第１のタイプのメッセージ（ＵＥに特有の制御メッセージ）は、典型的には、制御領域を使用して、ＰＤＣＣＨを使用して送られる。将来のＬＴＥのリリースの中においては、そのような制御領域を有していない、すなわちＰＤＣＣＨ送信を有していない新しいキャリヤタイプが存在するであろうことは、注意されるべきである。これらの新しいキャリヤタイプはＣＲＳを含むことさえなく、それ故、後方互換性がない。このタイプの新しいキャリヤは、リリース１１の中において紹介される。しかしながら、この新しいキャリヤタイプは、キャリヤアグリゲーションのシナリオの中においてのみ使用され、かつ常に従来の（後方互換性がある）キャリヤタイプを伴って集約される。ＬＴＥの将来のリリースの中において、制御領域を有さずかつ従来のキャリヤと関連しない独立したキャリヤを有することも可能である。
【００１６】
ＰＤＣＣＨタイプの制御メッセージは、ＣＲＳに関連して送信され、ＣＲＳは制御メッセージを復調するために受信携帯端末によって使用される。各々のＰＤＣＣＨは、各々のＣＣＥが３６個のＲＥｓを含む制御通信路要素（ＣＣＥｓ）と呼ばれるユニットの中へグループ化されるリソース要素を使用して送信される。単一のＰＤＣＣＨメッセージは、１より多い数のＣＣＥを使用し；特に所与のＰＤＣＣＨメッセージは、１個、２個、４個、又は８個のＣＣＥｓのアグリゲーションレベル（ＡＬ）を有する。このことは、制御メッセージのリンク適応を可能にする。各々のＣＣＥは、各々が４個のＲＥから成る９個のリソース要素グループ（ＲＥＧｓ）に対してマッピングされる。所与のＣＣＥに対するＲＥＧｓは、ＣＣＥに対して周波数ダイバーシティーを提供するためのシステム帯域幅を覆うように分配される。このことは、図４の中において示されている。それ故、ＰＤＣＣＨメッセージは、その構成に応じて、最初の１つから４個目までのＯＦＤＭ記号の中における全体のシステム帯域幅にわたる８個までのＣＣＥｓから成ることができる。
【００１７】
ｅＮＢの中のＰＤＣＣＨの処理は、制御情報の通信路符号化、スクランブリング、復調、及びインターリービングによって始まる。その後、復調された記号は、制御領域の中のリソース要素に対してマッピングされる。上述されたように、制御通信路要素（ＣＣＥ）は定義されてきており、各々のＣＣＥは３６個のリソース要素に対してマッピングされる。アグリゲーションレベルを選ぶことによって、ＰＤＣＣＨのリンク適応が得られる。全体で、全てのＰＤＣＣＨがサブフレームの中で送信されるために利用可能なＮCCE個のＣＣＥｓが存在し；ＮCCEという数は、制御記号ｎの数及び構成されるＰＨＩＣＨリソースの数に応じて、サブフレーム毎に変化する。
【００１８】
ＮCCEはサブフレーム毎に変化するので、受信端末は、ＰＤＣＣＨに対して使用されるＣＣＥｓの数と同様に、特定のＰＤＣＣＨのためのＣＣＥｓの位置を無分別に決定しなければならない。何らの制約もないとすれば、このことはコンピュータ的に集中的な復号作業となり得る。それ故、端末が試みることが必要な、可能で無分別な復号の数の上のいくつかの制約が、ＬＴＥの仕様書のリリース８に関して紹介されてきた。１つの制約は、ＣＣＥｓは数を付けられて、かつＣＣＥのサイズＫのアグリゲーションレベルは、Ｋによって均等に割り切ることができるＣＣＥの数の上においてのみ始まることができる、ということである。例えば、ＡＬが８のＰＤＣＣＨメッセージは、８個のＣＣＥｓから作り上げられ、数が０個、８個、１６個などのＣＣＥｓの上でのみ始まることができる。
【００１９】
端末は、ＵＥの探索空間として言及される一連のＣＣＥｓを覆う有効なＰＤＣＣＨを無分別に復号して探索しなければならない。端末が、所与のＡＬに対して、スケジューリング割り当て又は他の制御情報のために監視すべきなのは、ＣＣＥｓのセットである。例示的な探索空間が図６の中において示されており、それは特定の端末が監視することを必要とする探索空間を図解している。種々のＣＣＥｓが各々のＡＬに対して監視されなければならないということは、注意されるべきである。全体で、ＮＣＣＥ＝１５のＣＣＥｓがこの実施例の中に存在する。共通の探索空間は、全ての携帯端末によって監視されるべきであり、斜め線の縞模様で示され、一方、ＵＥに特有の探索は影が付けられている。
【００２０】
各々のサブフレームにおいてかつ各々のＡＬに対して、端末は、その探索空間の中においてＣＣＥｓから形成されることができる候補であるＰＤＣＣＨｓのうちの全てを復号することを試みるだろう。試みられた復号に対する周期的冗長検査（ＣＲＣ）が合致する場合、その後、候補であるＰＤＣＣＨの内容は、端末に対して有効であると推定され、かつ端末はさらに受信した情報を処理する。２以上の端末が重なる探索空間を有しており、その場合、ネットワークは制御通信路のスケジューリングに対してそれらのうちの１つを選択しなければならない、ということに注意しなさい。このようなことが起きる場合、スケジューリングされない端末は遮断されるといえる。ＵＥに対する探索空間は、この遮断の可能性を低減させるために、サブフレーム毎に疑似乱数的に変化する。
【００２１】
図６によって示唆されるように、探索空間はさらに、共通部分及び端末に特有の（又はＵＥに特有の）部分の中に分割される。共通の探査空間において、全ての又は一グループの端末に対する情報を含んでいるＰＤＣＣＨが送信される（ページング、システム情報など）。キャリヤアグリゲーションが使用される場合、端末は、１次の構成要素キャリヤ（ＰＣＣ）のみの上に存在する共通の探索空間を見つけるだろう。共通の探索空間は、セルの中の全ての端末に対して十分なチャネル符号の保護を与えるために、４及び８のアグリゲーションレベルに限定される。それは放送チャネルなので、リンク適応は使用されることができない、ということに注意しなさい。それぞれ８又は４のＡＬにおいて、ｍ８及びｍ４の第１のＰＤＣＣＨ（「第１の」ＰＤＣＣＨが最小のＣＣＥの数を有している）は、共通の探索空間に属する。システムの中におけるＣＣＥｓの効果的な使用のために、残っている探索空間は、各々のアグリゲーションレベルにおいて端末特有のものである。
【００２２】
ＣＣＥは、所与のＣＣＥに対して特有の３６個のＲＥｓにマッピングされる、３６個のＱＰＳＫの変調された記号から成る。それ故、ＣＣＥを知っていることは、ＲＥｓもまた自動的に知られていることを意味する。ダイバーシティー及び干渉のランダム化を最大にするために、セルに特有の循環シフト及びＲＥｓに対するマッピングの前に、インターリービングが使用される。ＰＤＣＣＨの位置が端末の探索空間及びアグリゲーションレベルの範囲内に限定されるために、ほとんどの場合において、いくつかのＣＣＥｓは空である、ということに注意しなさい。空のＣＣＥｓは、インターリービングの処理に含まれ、探索空間の構造を維持するために任意の他のＰＤＣＣＨとしてＲＥｓにマッピングされる。空のＣＣＥｓは、ゼロ出力に設定され、それは、さもなければ使用されていただろう出力が、空でないＣＣＥｓに対する代わりに、さらにＰＤＣＣＨの送信を高めるために割り当てられる、ということを意味している。
【００２３】
４個のアンテナの送信ダイバーシティーの使用を容易にするために、ＣＣＥの中の４個の隣接するＱＰＳＫ記号のうちの各々のグループが、ＲＥグループ（ＲＥＧ）を示す４個の隣接するＲＥｓに対してマッピングされる。それ故、ＣＣＥのインターリービングは、４重（４のグループ）に基づいている。マッピング処理は、１つのＲＥＧの粒度を有しており、かつ１つのＣＣＥは、９個のＲＥＧｓ（３６個のＲＥ）に対応する。
【００２４】
ＵＥｓに対する物的なダウンリンクシェアードデータチャネル（ＰＤＳＣＨ）の送信は、制御メッセージ（すなわち、図４のデータ領域の中）又はＲＳのいずれに対しても使用されない、ＲＢペアの中のあれらのＲＥｓを使用する。ＰＤＳＣＨは、ＰＤＳＣＨの送信モードに応じて、ＵＥに特有のＲＳ又はＣＲＳのいずれかを復調リファレンスとして使用し、送信されることができる。ＵＥに特有のＲＳの使用は、マルチアンテナの基地局が、マルチアンテナから送信されているデータ及び基準信号の両者のプレコーディングを使用して送信を最適化し、それによって、受信される信号エネルギーはＵＥにおいて増加し、かつ結果としてチャネル推定の性能は改善されデータ送信速度を増加することができる。
【００２５】
ＬＴＥの仕様書のリリース１１に対して、高度制御通信路の形における制御情報のＵＥに特有の送信を紹介することが合意されてきた。このことは、送信がＬＴＥサブフレームのデータ領域の中に置かれかつＵＥに特有の基準信号に基づく、ＵＥに対する制御メッセージの送信を可能にすることによってなされる。制御メッセージのタイプに応じて、このやり方において形成される高度制御通信路は、高度ＰＤＣＣＨ（ｅＰＤＣＣＨ）、高度ＰＨＩＣＨ（ｅＰＨＩＣＨ）などとして言及される。
【００２６】
リリース１１における高度制御通信路に対して、復調のためのアンテナポートｐ∈｛１０７、１０８、１０９、１１０｝を使用することがさらに合意されてきて、そのアンテナポートは、参照記号位置及び一連のシークエンスに関してアンテナポートｐ∈｛７、８、９、１０｝に対応し、すなわち、その同じアンテナポートは、ＵＥに特有のＲＳを使用して、物的なダウンリンクシェアードデータチャネル（ＰＤＳＣＨ）の上のデータ送信のために使用される。この向上は、データ送信のためにすでに利用可能なプレコーディングの利得が制御チャネルに対しても同様に取得されることができることを意味する。別の利益は、高度制御通信路に対する種々の物的ＲＢペア（ＰＲＢペア）が、種々のセルに対して又はセルの範囲内の種々の送信ポイントに対して割り当てられることができる、ということである。このことは、図７の中において見られることができ、図７は、１０個のＲＢペアを示し、それらのうちの３個は、１つＰＲＢペアを各々備える３つの個別のｅＰＤＣＣＨの領域に割り当てられる。残りのＲＢのペアは、ＰＤＳＣＨの送信のために使用されることができる、ということに注意しなさい。種々のＰＲＢペアを種々のセルに対して又は種々の送信ポイントに対して割り当てることができる能力は、制御通信路のためのセル間又はポイント間の干渉制御を容易にする。このことは、殊に、下で議論されるような、異機種ネットワークのシナリオに対して有用である。
【００２７】
同じ高度制御領域は、セルの範囲内の種々の送信ポイントによって、又は種々のセルに属する送信ポイントによって同時発生的に使用されることができ、ただし、それはそれらのポイントが互いに高度に干渉しない場合である。典型的な場合は、シェアードセルのシナリオであり、その実施例は図８の中において示されている。この場合において、マクロセル６２は、そのサービスエリア６８の範囲内にいくつかのより出力の低いピコノードＡ、Ｂ、及びＣを含んでおり、ピコノードＡ、Ｂ、及びＣは、同じ同期信号／セルＩＤを有している（又はそれらに関連している）。地理的に分かれているピコノードにおいて、図８の中におけるピコノードＢ及びＣと同様に、同じ高度制御領域、すなわち、ｅＰＤＣＣＨに対して使用される同じＰＲＢｓが、再使用されることができる。セルの種々の部分において、潜在的に複数の回数で、所与のＰＲＢリソースが再使用されるので、このアプローチを用いて、シェアードセルの中の全制御通信路の容量は増加する。このことは、領域を分割する利得が得られることを確実にする。図９の中において示される実施例は、ピコノードＢ及びＣが高度制御領域を共有することを示し、一方、Ｂ及びＣの両者とのその近接のために、Ａは他のピコノードと干渉するリスクがあり、それ故、重ならない高度制御領域が割り当てられる。シェアードセルの範囲内のピコノードＡ及びＢ又は同等に送信ポイントＡ及びＢの間の干渉制御は、それによって取得されることができる。いくつかの場合において、ＵＥはマクロセルからの制御通信路の信号伝達の部分、及び近くのピコセルからの制御信号伝達の他の部分を受信する必要がある、ということに注意しなさい。
【００２８】
この領域分割及び制御通信路の周波数調整は、ＰＤＣＣＨが全体の帯域幅にわたるので、ＰＤＣＣＨを伴っては不可能である。さらに、ＰＤＣＣＨは、それが復調のためのＣＲＳの使用に応じるので、ＵＥに特有のプレコーディングを使用する可能性を提供しない。
【００２９】
図１０は、複数のグループの中に分割され、かつ高度制御領域のうちの１つにマッピングされるＰＤＣＣＨを示している。これは、ｅＰＤＣＣＨのメッセージを作り上げるグループのうちの全てが周波数の中において一緒にグループ化されるので、ｅＰＤＣＣＨの「ローカライズされる」送信を表している。これらの複数のグループはＰＤＣＣＨの中のＣＣＥｓに類似するが、必ずしも同じ数のＲＥｓから作り上げられる必要はない、ということに注意しなさい。また、図１０の中において見られるように、高度制御領域はＯＦＤＭ記号がゼロのところにおいて始まらない、ということに注意しなさい。これは、ＰＤＣＣＨの同時発生的な送信をサブフレームの中に収容するためである。しかしながら、上述されたように、将来のＬＴＥのリリースの中には全てにおいてＰＤＣＣＨを有していないキャリヤタイプが存在し、その場合、高度制御領域は、サブフレームの範囲内においてゼロのＯＦＤＭ記号から始まることができる。
【００３０】
図１０において示されるｅＰＤＣＣＨのローカライズされる送信は、ＵＥに特有のプレコーディングを可能にして、それは従来のＰＤＣＣＨを超えた利点である一方、いくつかの場合において、放送される広い領域をカバーするやり方で高度制御通信路を送信することができることは有用である。このことは、ｅＮＢが一定のＵＥに向かってプレコーディングを実行するための信頼できる情報を有していない場合、特に有用であり、その場合、広い範囲をカバーする送信はよりロバストである。分配される送信が有用である別の場合は、特定の制御メッセージが１より多い数のＵＥのために企図される場合であり、それは、この場合、ＵＥに特有のプレコーディングは使用されることができないからである。これは、ＰＤＣＣＨ（すなわち、共通の探索空間（ＣＳＳ）の中において）を使用した共通の制御情報の送信のために取られる一般的なアプローチである。
【００３１】
したがって、高度制御領域を覆って分配される送信は、図１０の中において示されるローカライズされる送信の代わりに、使用されることができる。ｅＰＤＣＣＨの分配される送信の実施例は図１１の中において示されており、ここで、同じｅＰＤＣＣＨに属する４つの部分は、高度制御領域の中に分配される。
【００３２】
３ＧＰＰは、ローカライズされ分配されるｅＰＤＣＣＨの送信の両者が、支持されるべきであるということに合意してきており、これらの２つのアプローチは、概して、図１０及び図１１のそれぞれに対応する。その後、分配される送信が使用される場合、ｅＰＤＣＣＨメッセージのダイバーシティー次数を最大化するために、アンテナダイバーシティーが取得されることができるならば、それはまた有効である。一方、時々、広帯域のチャネル品質及び広帯域のプレコーディング情報のみがｅＮＢにおいて利用可能であり、その場合、ＵＥに特有の広帯域のプレコーディングを用いてではあるが、分配される送信を実行することは有用であり得る。
【００３３】
いくつかの問題が、ｅＰＤＣＣＨの使用に関連する。例えば、分配される送信に基づくｅＰＤＣＣＨがＵＥのために構成されてきた全てのＰＲＢのペアに対してマッピングされる場合、その後、これらのＰＲＢのペアの中の使用されないリソースがＰＤＳＣＨ送信のために同時発生的に使用されることができない、ということは現在のところ問題である。結果として、大きな制御通信路のオーバーヘッドが、使用されないリソースの断片が大きい場合に生じるだろう。別の未解決の問題は、高度制御通信路、並びにＣＳＩ−ＲＳ、ＣＲＳ、ＰＲＳ、ＰＳＳ、ＳＳＳなどの従来の基準信号、並びにＰＤＣＣＨ、ＰＨＩＣＨ、ＰＣＦＩＣＨ、及びＰＢＣＨなどの従来の制御通信路の間の衝突をいかにして処理するかということである。
【００３４】
より一般的に、残っている難問は有効なやり方においてｅＰＤＣＣＨの受信のための探索空間をいかにして設計するかということを含み、それによって、ローカライズされ分配される両者（又はＵＥに特有なプレコーディング及びダイバーシティー送信）のｅＰＤＣＣＨは、種々のｅＰＤＣＣＨ送信のために柔軟に支持されることができる。
【発明の概要】
【００３５】
ｅＰＤＣＣＨの使用に伴って発生する１つの問題は、ｅＰＤＣＣＨ送信のために使用されるＰＲＢペアの中のＲＥｓが、ＣＲＳ、ＣＳＩ−ＲＳ、ＳＳＳ、ＰＢＣＨ、又はＰＲＳなどの様々な基準信号の送信と衝突する場合、その後、ｅＰＤＣＣＨのパンクチャリングが生じる、ということである。さらに、所与のサブフレームの中においてｅＰＤＣＣＨを運ぶために使用される初めのＯＦＤＭ記号は、サブフレームの中の第１のＯＦＤＭ記号とは異なるように構成され、それは、第１のｎ＝１、２、３、又は４のＯＦＤＭ記号が、従来の制御通信路を含むからである。両者の場合において、ＲＥｓは、ｅＲＥＧｓから効果的に除去され、かつｅＰＤＣＣＨの中の変調されたｅＰＤＣＣＨ記号の送信のために使用されることができる各々のｅＲＥＧ範囲内におけるＲＥｓの利用可能な数は、名目上の、パンクチャリングされない場合よりも小さい。性能の一貫したレベルを維持するために、このパンクチャリングは、送信されるｅＰＤＣＣＨに対してアグリゲーションレベルを調整することによって、リンク適応を用いて埋め合わせされなければならない。パンクチャリングのレベルはサブフレームの数に応じるので、所与のｅＰＤＣＣＨは、ＤＣＩのペイロード及びチャネル状態が同じ場合であっても、種々のサブフレームの中における種々のアグリゲーションレベルを要求する。
【００３６】
以下に詳細に説明されるいくつかの実施形態にしたがって、利用可能なアグリゲーションレベルのセットは、サブフレームにおけるパンクチャリングのレベル、すなわち利用可能なＲＥｓの数に応じ、かつｅＮＢ及びＵＥに知られている。パンクチャリングのレベルは、サブフレーム毎に変化し、それ故、アグリゲーションレベルの利用可能なセットはまた、サブフレーム毎に変化する。
【００３７】
いくつかの実施形態による例示的な方法は、リンクの送信側において、例えば、ＬＴＥ無線システムの中のｅＮＢにおいて実装される。制御情報を送信するためのこの方法は、少なくとも１つのブロックの時間周波数リソース、例えば、ＰＲＢペアの中のリソース要素の複数の重ならないサブセット、例えば、ｅＲＥＧｓ又はｅＣＣＥＳが、ダウンリンクの制御情報を送信するために集約されることとなる、いくつかのサブフレームの各々に対して繰り返される。
【００３８】
例示的な方法は、ダウンリンクの制御情報を送信するためのリソース要素の重ならないサブセットを集約するために使用されることができる、アグリゲーションレベルのセットのメンバーを決定することによって始まる。この決定は、ダウンリンクの制御情報の送信のために使用されるパンクチャリングのレベルに基づく。パンクチャリングのレベルは、ｅＰＤＣＣＨの送信に対して利用可能なＲＥｓの数を決定する。例えば、それ故、アグリゲーションレベルの第１のセットは、パンクチャリングのレベルが５０パーセントより小さい場合に使用可能であり、一方、アグリゲーションレベルの第２のセットは、パンクチャリングのレベルが５０パーセント以上である場合に使用可能である。上述された詳細な実施例によって示唆されるように、これらのセットは、いくつかの場合において重なり、その場合、いくつかのアグリゲーションレベルは両者のセットの中において見つかる。しかしながら、他の実施形態において、これらのセットは完全にバラバラになる。
【００３９】
所与のサブフレームに対するダウンリンクの制御情報は、決定されたセットから選ばれるアグリゲーションレベルにしたがって、時間周波数リソースの少なくとも１つのブロックの中のリソース要素の１以上の重ならないサブセットにマッピングされる。その後、所与のサブフレームに対するダウンリンクの制御情報が、１以上の重ならないサブセットの中において送信される。リソース要素の重ならないサブセットは、いくつかの実施形態において、ＣＣＥｓ、ｅＣＣＥｓ、及び／又はｅＲＥＧｓであるが、他のグループ化又はグループ化のための名前が使用される。
【００４０】
いくつかの実施形態において、この方法は、いくつかのサブフレームの各々に対して繰り返される。上述したように、パンクチャリングは、サブフレーム毎に変化する。したがって、１つのサブフレームの中において使用可能なアグリゲーションレベルのセットは、次のサブフレームの中に存在するパンクチャリングのレベルに応じて、次のサブフレームの中で使用可能なアグリゲーションレベルのセットから異なる。
【００４１】
上で示唆されたように、いくつかの実施形態において、所与のサブフレームの中のダウンリンクの制御情報の送信のために使用されるパンクチャリングのレベルは、サブフレームの中の時間周波数リソースの少なくとも１つのブロックの中において送信される、任意の数の基準信号に応じる。パンクチャリングのレベルは、代わりに又は同様に、時間周波数リソースの少なくとも１つのブロックの中の制御情報のために排他的に蓄えられる任意の数の直交周波数分割多重（ＯＦＤＭ）記号に応じる。
【００４２】
他の例示的な実施形態は、無線通信システムの中のダウンリンクの制御情報を受信するための、すなわち、上で要約された方法を実装するノードからの無線リンクの反対側における受信ノードによって実装されるような補完方法を含む。上で要約された方法の場合と同様に、この方法は、例えばＰＲＢペアなどの時間周波数リソースの少なくとも１つのブロックの中の、例えばｅＲＥＧｓ又はｅＣＣＥｓなどのリソース要素の複数の重ならないサブセットが、ダウンリンクの制御情報の受信された送信のために集約される、いくつかのサブフレームの各々に対して繰り返される。
【００４３】
この例示的な方法は、ダウンリンクの制御情報の受信された送信のためのリソース要素の重ならないサブセットを集約するために使用可能な、アグリゲーションレベルのセットのメンバーを決定することによって始まる。この決定は、第１のダウンリンクの制御情報の受信された送信のために使用されるパンクチャリングのレベルに基づき、すなわち、ｅＰＤＣＣＨのために利用可能なＲＥｓの数に基づき、かつリンクの送信側によって使用される同じ規則又は複数の規則を使用する。ダウンリンクの制御情報は、決定されたセットから選ばれたアグリゲーションレベルにしたがって、時間周波数リソースの少なくとも１つのブロックの中のリソース要素の１以上の重ならないサブセットからのダウンリンクの制御情報を、マッピング解除することによって受信される。
【００４４】
前に要約した方法の場合と同様に、ｅＰＤＣＣＨの送信のために使用されるパンクチャリングは、サブフレーム毎に変化する。したがって、示された方法のいくつかの実施形態において、上述の作動は、第２のサブフレームのために第２の繰り返しが行われ、そこにおいて、アグリゲーションレベルの第２のセットのメンバーは、第２のサブフレームの中の第２のダウンリンクの制御情報の受信された送信のために使用されるパンクチャリングのレベルに基づいて決定され、ここで、アグリゲーションレベルの第２のセットは第１のセットとは異なる。その後、第２のダウンリンクの制御情報は、決定された第２のセットから選ばれたアグリゲーションレベルにしたがって、時間周波数リソースの少なくとも１つのブロックの中のリソース要素の１以上の第２の重ならないサブセットからの第２のダウンリンクの制御情報をマッピング解除することによって受信される。
【００４５】
受信された送信のために使用されるパンクチャリングのレベルは、いくつかの実施形態において、各々のサブフレームの中の時間周波数リソースの少なくとも１つのブロックの中の任意の数の基準信号に応じる。これら又は他の実施形態において、パンクチャリングのレベルは、時間周波数リソースの少なくとも１つのブロックの中の制御情報のために排他的に蓄えられる、任意の数のＯＦＤＭに応じる。
【００４６】
他の関連する実施形態は、無線通信システムの中のダウンリンクの制御情報を送信するための方法を含み、それによって、ローカライズされ分配される制御通信路のメッセージの送信は、同じＰＲＢペア又は複数のペアを利用する。例示的な方法は、第１のＰＲＢペアを使用して、第１の制御メッセージを第１のユーザ装置（ＵＥ）へ送信することを含み、ここで、第１の制御メッセージは、リソース要素の２以上の第１の重ならないサブセットの中へ分割され、それらのうちの少なくとも１つは、第１のＰＲＢペアの中にある。これらのリソース要素の２以上の第１の重ならないサブセットは、少なくとも第１のＰＲＢペアの範囲内において周波数がローカライズされるやり方で集約され、かつこれらのリソース要素の２以上の第１の重ならないサブセットは、単一のアンテナポートを使用して送信される。方法はさらに、また第１のＰＲＢペアを使用して第２の制御メッセージを第２のＵＥへ同時発生的に送信することを含み、ここで、第２の制御メッセージは、リソース要素の２以上の第２の重ならないサブセットの中へ分割され、それらのうちの少なくとも１つは、第１のＰＲＢペアの中にある。この場合において、リソース要素の２以上の第２の重ならないサブセットは、第１のＰＲＢペア及び１以上の付加的なＰＲＢペアにわたり周波数が分配されるやり方で集約され、かつリソース要素の２以上の第２の重ならないサブセットのうちの少なくとも２つの中の記号は、異なるアンテナポートを使用して送信される。これらの異なるアンテナポートは、リソース要素の２以上の第１の重ならないサブセットの中の記号を送信するために使用される。
【００４７】
もちろん、本明細書の中において説明される技術、システム、及び装置は、上述の特徴及び利点に限定されるものではない。実際、当業者は、以下の詳細な説明を読んだうえで、かつ添付された図面を見たうえで、付加的な特徴及び利点を認識することができるだろう。
【図面の簡単な説明】
【００４８】
【図１】図１は、ＯＦＤＭ信号の時間周波数リソースのグリッドを図解している。
【図２】図２は、制御信号伝達のうちの１つのＯＦＤＭ記号を伴うＬＴＥ信号のサブフレームを図解している。
【図３】図３は、ＰＲＢペアに対するＵＥに特有の参照記号の例示的なマッピングを図解している。
【図４】図４は、ＬＴＥサブフレームの制御領域に対するＣＣＥのマッピングを図解している。
【図５】図５は、制御通信路メッセージの中へのＣＣＥｓの集約を図解している。
【図６】図６は、例示的な探索空間を図解している。
【図７】図７は、ＬＴＥサブフレームに対する例示的な高度制御通信路領域のマッピングを図解している。
【図８】図８は、例示的な異機種ネットワークを図解している。
【図９】図９は、異機種ネットワークの中のピコノードに対するｅＰＤＣＣＨの割り当てを図解している。
【図１０】図１０は、高度制御領域に対するｅＰＤＣＣＨのローカライズされるマッピングを図解している。
【図１１】図１１は、高度制御領域に対するｅＰＤＣＣＨの分配されるマッピングを図解している。
【図１２】図１２は、今回開示される技術のうちのいくつかが適用される例示的な無線通信ネットワークを図解している。
【図１３】図１３は、ＰＲＢペアに対するｅＲＥＧｓ及びアンテナポートの例示的なマッピングを図解している。
【図１４】図１４は、図１３の例示的なマッピングのためのｅＲＥＧｓに対するアンテナポートの１つの可能な関連を示している。
【図１５】図１５は、図１３の例示的なマッピングのためのｅＲＥＧｓに対するアンテナポートの別の可能な関連を示している。
【図１６】図１６は、８個のｅＲＥＧｓ及び４個のアンテナポートを含む例示的なＰＲＢペアのためのダイバーシティー送信に対するアンテナポートの関連の実施例を図解している。
【図１７】図１７は、８個のｅＲＥＧｓ及び４個のアンテナポートを含む例示的なＰＲＢペアのためのＵＥに特有なプレコーディング送信に対するアンテナポートの関連の実施例を図解している。
【図１８】図１８は、単一のＰＲＢペアの中のダイバーシティー送信及びＵＥに特有のプレコーディング送信の両者に対するアンテナポートの関連の実施例を図解している。
【図１９】図１９は、ローカライズされるＣＣＥｓのアグリゲーション及び分配されるＣＣＥｓのアグリゲーションの両者を含む探索空間の２次元表現を図解している。
【図２０】図２０は、ＵＥが２つのノードのうちの１つ又は両方からｅＰＤＣＣＨ送信を受信する例示的な無線ネットワークの要素を示している。
【図２１】図２１は、探索空間の中のＰＲＢペアが２つのグループに分割される、探索空間の別の表現である。
【図２２】、
【図２３】、
【図２４】、
【図２５】、及び
【図２６】図２２、図２３、図２４、図２５、及び図２６は、２つのグループの探索空間の他の実施例を図解している。
【図２７】図２７は、制御情報を送信するための例示的な方法を図解している工程流れ図である。
【図２８】図２８は、制御情報を受信するための例示的な方法を図解している工程流れ図である。
【図２９】図２９は、本明細書の中において説明される技術のうちの１以上を実行するように適合された例示的な基地局のブロック図である。
【図３０】図３０は、本明細書の中において説明される技術のうちの１以上を実行するように適合された例示的なユーザ装置（ＵＥ）のブロック図である。
【図３１】図３１は、制御情報を送信するための別の例示的な方法を図解している工程流れ図である。
【発明を実施するための形態】
【００４９】
続く説明の中で、今回開示される技術及び装置の特定の実施形態の具体的な詳細は、説明目的で説明されるものであり、限定を伴うものではない。これらの具体的な詳細とは別の他の実施形態が採用され得る、ということは当業者によって理解されるだろう。さらに、いくつかの例において、不必要な詳細によって説明が分かりにくくなることを避けるために、既知の方法、ノード、インターフェース、回路、及び装置が省略されている。当業者は、説明される機能が１以上のいくつかのノードに実装され得る、ということを理解するだろう。説明される機能のうちのいくつか又は全ては、特別な機能、特定用途向け集積回路（ＡＳＩＣｓ）、プログラム可能論理アレイなどを実行するために、相互に接続されたアナログ及び／又は離散論理ゲートなどの、ハードウェア回路を使用して実装され得る。同様に、機能のうちのいくつか又は全ては、１以上のデジタルマイクロプロセッサ又は汎用コンピュータと併せて、ソフトウェアプログラム及びデータを使用して実装され得る。無線インターフェースを使用して通信するノードが説明される場合において、それらのノードはまた、適切な無線通信回路を有する、ということが理解されるだろう。さらに、技術は、付加的に、プロセッサが本明細書の中において説明される技術を実行する原因となる、コンピュータ命令の適切なセットを含んでいる、固体メモリ、磁気ディスク、又は光ディスクなどの非一時的な実施形態を含む、任意の形のコンピュータ可読型メモリの範囲内において、完全に具現化されるものと考えることができる。
【００５０】
ハードウェアの実施態様は、デジタルシグナルプロセッサ（ＤＳＰ）ハードウェア、縮小命令セットプロセッサ、特定用途向け集積回路（ＡＳＩＣｓ）及び／又はフィールドプログラマブルゲートアレイ（ＦＰＧＡ）を含むがそれらに限定されないハードウェア（例えば、デジタル又はアナログ）回路、並びに（必要に応じて）そのような機能を実行する能力がある状態機械を含み又は包含するが、それらに限定されるものではない。
【００５１】
コンピュータによる実現に関して、コンピュータは、概して、１以上のプロセッサ又は１以上の制御装置を備えるものと理解され、かつコンピュータ、プロセッサ、及び制御装置という用語は、相互に交換可能に採用される。コンピュータ、プロセッサ、又は制御装置によって提供される場合、機能は、単一の専用コンピュータ若しくはプロセッサ若しくは制御装置によって、単一の共用コンピュータ若しくはプロセッサ若しくは制御装置によって、又は複数の個別のコンピュータ若しくはプロセッサ若しくは制御装置によって提供され、それらのうちのいくつかは共有されるか若しくは分配される。さらに、「プロセッサ」又は「制御装置」という用語はまた、上述の例示的なハードウェアなどの、そのような機能を実行し及び／又はソフトウェアを遂行する能力がある他のハードウェアを言及する。
【００５２】
本明細書を通して、「一実施形態」又は「１つの実施形態」に対する言及は、１つの実施形態と関連して説明される特定の特徴、構造、又は特性が、本発明の少なくとも１つの実施形態の中に含まれることを意味する。それ故、本明細書を通して様々な場所における「一実施形態の中において」又は「１つの実施形態の中において」というフレーズの登場は、必ずしも全てが同じ実施形態について言及している訳ではない。さらに、特定の特徴、構造、又は特性は、任意の適切なやり方で１以上の実施形態の中に組み合わされることができる。
【００５３】
もう一度再び図面を参照すると、図１２は、移動局１００に対して無線通信サービスを提供するための、例示的な移動通信ネットワーク１０を図解している。３つの移動局１００が、ＬＴＥの専門用語の中において「ユーザ装置」又は「ＵＥ」として言及され、図１２において示されている。例えば、移動局１００は、携帯電話、電子手帳、スマートフォン、ラップトップコンピュータ、ハンドヘルドコンピュータ、又は無線通信の能力を有する他の装置を備えることができる。「移動局」又は「携帯端末」という用語は、本明細書の中において使用されるように、移動通信ネットワークの中で作動する端末について言及し、必ずしも端末それ自体が携帯可能又は移動可能であることを意味しない。それ故、その用語は、携帯装置、自動車に搭載される装置などと同様に、一定の機械対機械の用途などの、固定された構成において設置される端末を言及することができる。
【００５４】
移動通信ネットワーク１０は、複数の地理的なセルの領域又は区域１２を備える。各々の地理的なセルの領域又は区域１２は、基地局２０によってサービスされ、基地局２０は、概して、ＬＴＥの中で進化したノードＢ（ｅＮｏｄｅＢ）として言及される。１つの基地局２０は、複数の地理的なセル領域又は区域１２の中でサービスを提供することができる。移動局１００は、１以上のダウンリンク（ＤＬ）チャネルの上で基地局２０から信号を受信し、かつ１以上のアップリンク（ＵＬ）チャネルの上で基地局２０に信号を送信する。
【００５５】
例示目的のために、いくつかの実施形態が、ＬＥＴとしてまた言及されるＥ−ＵＴＲＡＮの文脈の中で説明されるだろう。本明細書の中において説明される問題及び解決法は、他のアクセス技術及び標準を実装する無線接続ネットワーク及びユーザ装置（ＵＥｓ）に等しく適用可能である、ということは理解されるべきである。ＬＴＥは、本発明が適切である例示的技術として使用され、かつそれ故、本説明の中でＬＴＥを使用することは、問題及びその問題を解決する解決法を理解するために特に有用である。しかしながら、当業者は、ここで開示される技術が、例えば、ワイマックス（ＩＥＥＥ８０２．１６）システムを含んだ他の無線通信システムに対してより一般的に適用可能である、ということを理解するだろう。それ故、下で詳細に説明される様々な実施形態を説明するためのＬＴＥの技術の使用は、この特定の技術に対する限定として見られるべきではない。
【００５６】
上述されたように、３ＧＰＰは、ｅＰＤＣＣＨの分配される送信およびローカライズされる送信の両者が、来るべきＬＴＥに対する標準のリリースの中において支持されるべきである、ということに合意してきており、これらの２つのアプローチは、それぞれ一般的に図１０及び図１１に対応している。分配される送信が使用される場合、その後、アンテナダイバーシティーがｅＰＤＣＣＨメッセージのダイバーシティー次数を最大化するために取得されることができれば、それはまた一般的に有効である。一方、時々、広帯域のチャネル品質及び広帯域のプレコーディング情報のみがｅＮＢにおいて利用可能であり、その場合、ＵＥに特有の広帯域のプレコーディングを用いてではあるが、分配される送信を実行することは有用であり得る。
【００５７】
ＬＴＥの仕様書のリリース１１に関して、高度制御通信路は、ＵＥに特有のＲＳ（例えば、図３の中において示されるように）を復調のための参考として使用するだろう。所与のｅＰＤＣＣＨは、ＲＢペアの中において必要とされるアンテナポートの数に応じて、復調のために１つの、いくつかの、又は全てのアンテナポート７、８、９、及び１０を使用するだろう。
【００５８】
高度制御通信路のために使用される各々のＰＲＢペアは、時間周波数リソースの様々なグループ、示された高度若しくは拡張リソース要素グループ（ｅＲＥＧｓ）、又は高度ＣＣＥｓ（ｅＣＣＥｓ）の中へと分割されることができる。ローカライズされるｅＰＤＣＣＨ送信の中において、時間周波数リソースの各々のグループは、ＵＥに特有のＲＳからの特有のＲＳ、又は同等にアンテナポートに関連し、それは、同じＲＢ又はＲＢペアの中に置かれる。例えば、ＵＥがＲＢ又はＲＢペアの所与のｅＲＥＧの中の情報を復調する場合、それは、そのｅＲＥＧと関連するＲＳ／アンテナポートを使用する。さらに、ＲＢ又はＲＢペアの中の各々のリソースは、独立してＵＥｓに割り当てられることができる。
【００５９】
図１３は、各々のｅＲＥＧが３６個のＲＥから成る、４個の高度リソース要素グループ（ｅＲＥＧ）を有するダウンリンクのＲＢペアを示す、１つの可能なグループ化の実施例を示している。各々のｅＲＥＧは、アンテナポート（ＡＰ）と関連する。この実施例において、各々のＡＰは、２個のｅＲＥＧと関連する。同じリソース要素を使用するアンテナポート（例えば、ポート７及び８）は、直交カバーコード（ＯＣＣ）の使用によって、直交に作られる。
【００６０】
図１４は、図１３の実施例に対して、ｅＲＥＧに対するＡＰの関連を示している。ここで、ｅＲＥＧ１及びｅＲＥＧ３は各々ＡＰ７に関連し、一方、ｅＲＥＧ２及びｅＲＥＧ４はＡＰ９に関連する、ということが理解できる。例えば、ＵＥが、ｅＲＥＧ１の中において送信されるｅＰＤＣＣＨの部分を復調する場合、それは復調のためにＡＰ７と関連するＲＳを使用するだろう。ＵＥが、ｅＲＥＧ１及びｅＲＥＧ２の中において送信されるｅＰＤＣＣＨを復調する場合、それはｅＰＤＣＣＨメッセージの対応する部分の復調のためにＡＰ７及びＡＰ９の両者を使用するだろう。このやりかたにおいて、アンテナダイバーシティーは、複数のアンテナがｅＮＢにおいて利用可能であり、かつＡＰ７及びＡＰ９が異なるアンテナに対してマッピングされる場合、ｅＰＤＣＣＨに対して得られること可能である。
【００６１】
たとえ複数の直交するＲＳがＲＢ又はＲＢペアの中において使用される場合であっても、送信される制御データの単一の層しか存在しない、ということに注意しなさい。図１４の中において見ることができるように、１より多い数のｅＲＥＧが所与のＡＰを使用することが可能であり、それは、ｅＲＥＧが時間周波数ＯＦＤＭのグリッドの中で直交するので可能となる。例えば、再び図１３及び図１４を参照すると、ｅＲＥＧ１及びｅＲＥＧ３は、同じアンテナポートと関連して、それ故、同じプレコーディングベクトルを伴って送信される。所与のｅＰＤＣＣＨが図１３及び図１４にしたがって構成されるＰＲＢペアの中の全てのｅＲＥＧｓを使用する場合、その後、アンテナダイバーシティー又はプレコーディングビームダイバーシティーが取得され得る、ということに注意しなさい。このことは、好適なプレコーディングベクトルが基地局側において未知である場合、又はｅＰＤＣＣＨによって運ばれる制御メッセージが複数のＵＥｓ（例えば、共通の制御通信路）に対して企図される場合に、有用であり得る。
【００６２】
代替的に、ｅＰＤＣＣＨがＰＲＢペアの中の全てのｅＲＥＧｓを使用し、かつ基地局が単一のＵＥに対して、すなわちＰＲＢペアの中の全てのｅＲＥＧｓに適用される同じプレコーダを伴って、プレコーディングを実行することを選ぶ場合、その後、１つだけのアンテナポートが使用されることが必要であり、かつＵＥに特有のプレコーディングは、その後、ｅＰＤＣＣＨメッセージの全体に対して適用されることができる。このシナリオのための関連するノードの図は、図１５の中において示されており、図１５は、全てのｅＲＥＧｓが同じＵＥに対して使用されており、それ故、ＡＰ７のみが使用される必要がある（ＡＰ９は使用されない）場合の、ｅＲＥＧに対するＡＰの関連を示している。
【００６３】
制御情報は、時間周波数リソースの各々のグループ又はｅＲＥＧの中において送信されることが可能である。所与のｅＲＥＧの中の制御情報は、高度ＰＤＣＣＨのうちの全て若しくは部分、ＣＣＥのうちの全て若しくは部分、又は高度ＰＨＩＣＨ若しくは高度ＰＢＣＨのうちの全て又は部分から成るが、それらに限定されるものではない。リソース／ｅＲＥＧが小さ過ぎて高度ＰＤＣＣＨ、ＣＣＥ、ＰＨＩＣＨ、又はＰＢＣＨの全体を含むことができない場合、断片が、ｅＲＥＧ、他のｅＲＥＧｓの中の残りの部分、同じＲＢ若しくはＰＢペア、又は同じサブフレームの中の他の場所のＲＢペアの中で、送信されることが可能である。
【００６４】
分配される送信のためのｅＰＤＣＣＨが、ＵＥに対して構成されてきた全てのＰＲＢペアに対してマッピングされる場合、その後、現在の３ＧＰＰの合意にしたがうと、これらのＰＲＢペアの中の使用されないリソースが、ＰＤＳＣＨ送信に対して同時発生的に使用され得ないことは問題である。結果として、使用されないリソースの断片が大きい場合に、大きな制御通信路のオーバーヘッドが生じるだろう。別の問題は、高度制御通信路及びＣＳＩ−ＲＳ、ＣＲＳ、ＰＲＳ、ＰＳＳ、ＳＳＳなどの従来の基準信号並びにＰＤＣＣＨ、ＰＨＩＣＨ、ＰＣＦＩＣＨ、及びＰＢＣＨなどの従来の制御通信路をいかにして処理するかということである。
【００６５】
上述されたように、より一般的な問題は、ｅＰＤＣＣＨの受信のための探索空間をいかにして効率的なやり方で設計するかということであり、それによって、ローカライズされ分配される（又はＵＥに特有のプレコーディング及びダイバーシティー送信）ｅＰＤＣＣＨの両者が、異なるｅＰＤＣＣＨ送信に対して柔軟に支持されることができる。それ故、ＣＣＥ又は時間周波数リソースの他のグループが、ＲＲＣ再構成の必要なしにいかにしてローカライズされる送信又は分配される送信のいずれかに対して使用されることができるか、ということが問題である。言い換えると、各々を半静的に１つ又は他のタイプに構成することなしに、ＣＣＥ又は時間周波数リソースの他のグループの柔軟な使用をいかにして有するか、ということが問題である。
【００６６】
さらに、ＵＥが透明なやり方において１より多い数の送信ポイントからｅＰＤＣＣＨを受信することができるように、いかにして探索空間を定義することができるかということは問題であり、かつそれは、送信ポイントの間の低い容量のバックハウルのみを伴う可能性があり、それは、これらの送信ポイント間の半静的なｅＰＤＣＣＨの調整のみが可能であることを意味する。
【００６７】
様々な実施形態にしたがって、それらの実施例は以下に説明され、ｅＰＤＣＣＨ（すなわち、ＵＥの探索空間を作り上げるＰＲＢペア）を送信して受信することにおける使用のために構成されるＰＲＢペアは、ＰＲＢペアの１以上のグループの中へ分割され：
−すなわち、所与のｅＰＤＣＣＨは、１つのそのようなグループの範囲内においてのみリソース要素に対してマッピングされ；
−ＣＣＥ、ｅＲＥＧ、又は時間周波数リソースの他のグループの間の関連は、時間周波数リソースの特定のグループが、構成に応じて及び／又はｅＰＤＣＣＨが受信される探索空間が共通であるか又はＵＥに特有のものであるかに応じて、ＵＥに特有のプレコーディング又はダイバーシティー送信のいずれかに対して柔軟に使用されることができるように、構成され；
−かつローカライズされ分配されるｅＰＤＣＣＨ送信が、グループの範囲内のリソースの集約がいかにして実行されるかに応じて、受信され得る。
【００６８】
いくつかの実施形態において、共通の探索空間はＰＲＢペアのグループのうちのただ１つに対してマッピングされ；このグループは１次のグループと表示されることができる。１次のグループの位置は、ＰＢＣＨの中において送信されるＭＩＢなどの、情報ブロックのうちの１つの中のＵＥに対して信号として送られることができる。この１次のグループは、送信された従来のＰＤＣＣＨを有していない独立型のキャリヤの上の、システムに対する最初のアクセスのために、かつＣＣＳに対するアクセスのために使用されることができる。
【００６９】
いくつかの実施形態において、ＰＲＢの数に関するグループのサイズは、パンクチャリングのレベルに応じ、かつサブフレーム毎に異なる。さらに他の実施形態において、所与のＰＲＢペア又は複数のペアの範囲内のリソースのグループは、ＰＲＢペアに対するパンクチャリングのレベルに応じたやり方において、グループ化すなわち集約される。
【００７０】
様々な実施形態のこれらの及び他の特徴が、ここでさらに説明される。
【００７１】
所与のＵＥに対してｅＰＤＣＣＨ送信を提供するために、ＵＥに対して利用可能なＫ´ＰＲＢペアの全体から出たＰＲＢペアの数Ｋ＿ｅＰＤＣＣＨは、ＵＥに対して構成される。（Ｋ´は、特定のキャリヤに対するシステムの帯域幅又はそのキャリヤの範囲内のＰＲＢペアの数に関するＵＥに特有の帯域幅の中のＰＲＢペアの数である。）言い換えると、ＵＥは、ＰＲＢペアのＫ＿ｅＰＤＣＣＨの特定のセットが高度制御通信路の使用のために割り当てられる、という情報を与えられる。
【００７２】
上述したように、ＰＲＢペアの中のリソース要素は、リソース要素の重ならないグループの１以上のセットの中へグループ化される。それ故、例えば、ＵＥに対する高度制御領域の中において利用可能な制御通信路要素（ＣＣＥ）の全体の数は、Ｎ＿ＣＣＥ−ｅＰＤＣＣＨであり；これらのＣＣＥは、ｅＮＢ及びＵＥの両者において既知の特定のやり方において、ＰＲＢペアのＫ＿ｅＰＤＣＣＨの中のリソース要素にマッピングされる。
【００７３】
各々のＰＲＢペアの中において利用可能なリソース要素（ＲＥｓ）はさらに、ＲＥｓのうちの重ならないサブセットの中へ分割されることができ、それらは、拡張されたリソース要素グループ（ｅＲＥＧ）若しくは高度ＣＣＥ（ｅＣＣＥ）又は同様なものとして示される。本明細書の中における以下の説明において、「ｅＲＥＧ」という用語は、そのようなサブセットを言及するために使用されるが、「ｅＣＣＥ」又は他の名前は、ＲＥｓのそのようなサブセットを示すために代わりに使用されることができる。一実施例において、ＰＲＢペアは、８個のｅＲＥＧの中へ分割され、ここで、各々のｅＲＥＧは、１８個のＲＥ、全部で１４４個のＲＥを含む。通常のサイクリックプレフィックスを有するサブフレームの中のＰＲＢペアは、１６８個のＲＥを含み、かつＰＲＢペアの中の残りの２４個のＲＥｓは、アンテナポート７、８、９、及び１０の形をとる復調基準信号（ＤＭＲＳ）を含む。別の実施例において、各々のｅＲＥＧは、９個のＲＥｓを含む。この場合、ＰＲＢペアは、ＤＭＲＳに対して設けられる２４個のＲＥｓに加えて、１６個のｅＲＥＧｓを含む。ｅＲＥＧｓの他のサイズ及び構成も可能である。
【００７４】
背景部分の中において上述されたように、ＵＥに特有のｅＰＤＣＣＨのプレコーディングが使用される場合、各々のｅＲＥＧは、アンテナポート及びｅＲＥＧと同じＰＲＢペアの中の対応する参照記号と関連する。ＵＥがそのｅＲＥＧを使用するｅＰＤＣＣＨを復調する場合、関連するアンテナポートに対する参照記号がチャネル推定のために使用される。それ故、アンテナポートの関連は暗黙のものである。ｅＰＤＣＣＨが同じＰＲＢペアの範囲内の複数のｅＲＥＧに対してマッピングされる場合、その後、複数のアンテナポートは、これらのｅＲＥＧｓに関連する。ＵＥに特有のプレコーディング又はダイバーシティー送信がこのｅＰＤＣＣＨに対して構成されるか否かに応じて、これらの関連するアンテナポートのサブセットのみが、ｅＰＤＣＣＨを復調するために使用される。実施例として、ＵＥに特有のプレコーディングが使用される場合、その後、これらの関連するＡＰのうちのただ１つだけが、ＵＥによって使用されることができ、かつダイバーシティー送信が使用される場合、その後、２つが使用され得る。
【００７５】
各々のＰＲＢペアが８個のｅＲＥＧｓを含む構成に対するアンテナポートの関連の実施例が、図１６の中において示されている。この実施例の中において、ＰＲＢペアの８個のｅＲＥＧｓが、４つのアンテナポートに対してマッピングされ、かついくつかのｅＰＤＣＣＨｓの中へグループ化される。この実施例の中において、第１のｅＰＤＣＣＨは、ｅＲＥＧ１及び２を含み、ここで、ｅＲＥＧ１はＡＰ７に対してマッピングされ、かつｅＲＥＧ２はＡＰ８に対してマッピングされる。（この同じｅＰＤＣＣＨが、同様に、付加的なＰＲＢペアの中のｅＲＥＧｓを含む、ということに注意しなさい）。アンテナポートダイバーシティーは、２つの使用されたｅＲＥＧｓが２つの異なるアンテナポートを介して送信されるので、このｅＰＤＣＣＨに対して得られる。同じＰＲＢの中において、別のｅＰＤＣＣＨは、ｅＲＥＧｓ５から８を使用し、かつアンテナポート９及び１０を使用することによって、２重のダイバーシティーを取得する。
【００７６】
同じＰＲＢペアが与えられたとして、ＵＥに特有のプレコーディングが代替的に使用されることができ、この場合、単一のＡＰのみが、ＰＲＢペアの範囲内の同じｅＰＤＣＣＨに属するｅＲＥＧｓのうちの各々のグループに関連する。この実施例が図１７の中において示されており、ここで、ＵＥに特有のプレコーディング送信に対するアンテナポートの関連は、再び８個のｅＲＥＧｓ及び４個のアンテナポートを含む例示的なＰＲＢの中において示されている。１つのｅＰＤＣＣＨはｅＲＥＧｓ１及び２を含み、それらは、両者ともＡＰ７に対してマッピングされる。別のＰＤＣＣＨはｅＲＥＧｓ３及び４を含み、それらはＡＰ８に対してマッピングされる。さらに別のｅＰＤＣＣＨはｅＲＥＧｓ５、６、７、及び８を含み、それらは全てＡＰ９に対してマッピングされる。
【００７７】
図１６及び図１７の中において与えられる実施例の中において、各々の場合において４個のｅＲＥＧｓのより低いセットの中の各々のｅＲＥＧは、ＡＰ９又はＡＰ１０のいずれかに対して関連し、一方、より高いセットの中の各々のｅＲＥＧは、ＡＰ７又はＡＰ８のいずれかに対して関連する。それ故、アンテナポートの２つの独立した周波数区域多重セットは、ｅＲＥＧｓのより高い及びより低いセットに別々に関連する。このことは、異なる送信モード（ＵＥに特有のプレコーディング又はダイバーシティー）が、より高い及びより低いセットの中のｅＲＥＧｓのグループ化に適用することを可能にする。それ故、例えば、ｅＲＥＧｓ１から４を図１６の中において示されるやり方においてＡＰ７及びＡＰ８に対してマッピングすることが可能であり、対応するｅＰＤＣＣＨｓのためにアンテナダイバーシティーを取得することが可能であり、一方、ｅＲＥＧｓ５から８に対して図１７の中において示されるマッピングを同時発生的に使用して、対応するｅＰＤＣＣＨのためにＵＥに特有のプレコーディングを利用することができる。
【００７８】
しかしながら、この構成における１つの問題は、ｅＲＥＧｓ１及び２に対してマッピングされるＣＣＥがダイバーシティーを使用している場合、その後、ｅＲＥＧｓ３及び４がまたダイバーシティーを使用するということである。同じことが、ＵＥに特有のプレコーディングに対しても成り立つ。したがって、同じＰＲＢペアの範囲内においてＵＥに特有の及びダイバーシティー送信の間のよりさらなる柔軟性を有することが有益であろう。解決法は、以下に説明される実施形態の中において与えられる。
【００７９】
上述の図１６及び図１７の中において示されたもののような、ｅＲＥＧｓ及びＡＰｓの間の関連性が与えられたとして、第１の実施形態は、後述の両者がｅＲＥＧｓの同じセット（より高い及びより低いセットのそれぞれ）の範囲内において共存することを可能にすることによって、同じＰＲＢペアの中のＵＥに特有のプレコーディング及びダイバーシティー送信の両者を有するための柔軟性を提供する。この実施例は、図１８の中において示され、図１８は、同じＰＲＢペアの中のＵＥに特有のプレコーディング送信及びダイバーシティー送信の両者に対するアンテナポートの関連を示している。より具体的には、図１８の実施例の中において、ｅＲＥＧｓ１及び２を使用するｅＰＤＣＣＨは、ＵＥに特有のプレコーディング及びそれ故ただ１つのアンテナポートを使用していて、一方、ｅＲＥＧｓ３及び４を使用するｅＰＤＣＣＨは、ダイバーシティー送信を使用している。ｅＲＥＧｓ１及び２はＵＥに特有のプレコーディングを使用しているので、ＡＰ７のために使用されるプレコーディングベクトルは、ｅＲＥＧｓ１及び２の中においてｅＰＤＣＣＨを受信するＵＥに向かってプレコーディングの利得を提供するように選択される。ｅＲＥＧｓ３及び４を使用するｅＰＤＣＣＨに対しては、ＡＰ７のプレコーディングベクトルが、それ故、既に決定されている。しかし、アンテナポートダイバーシティーは、ｅＮＢが、ＡＰ７に対して使用されるものとは異なるプレコーディングベクトルをＡＰ８に対して選択する場合、得られることができる。好ましくは、これがＡＰ７に対して使用されるものと直交するプレコーディングベクトルである。
【００８０】
この構成を用いて、ＰＲＢペアは、２個のｅＲＥＧｓのグループに対するダイバーシティー又はＵＥに特有のプレコーディングのいずれかに対して自由に使用されることができる、８個のｅＲＥＧｓの中に分割されることができる。２個のｅＲＥＧｓのうちの各々のペアは３６個のＲＥｓから成り、この実施例において、それは、従来のＣＣＥのサイズに等しい、ということがまた注意されるべきである。それ故、ＰＲＢペアに対してマッピングされる各々のＣＣＥに対して、ＵＥに特有のプレコーディング又はダイバーシティー送信のいずれかが使用されることができ、かつアンテナポートの関連は、使用される実際のｅＲＥＧｓに基づいていまだ暗黙のままである。これは、アンテナポートがＵＥに対して信号伝達することに対する必要性を除去し、それは、この実施形態の中における解決法の利点である。これはまた、ＵＥに特有のプレコーディング又はダイバーシティー送信のいずれが使用されるかということが、単一のＣＣＥに対してのみ影響を与え、かつそれ故ＣＣＥの範囲内で自己完結する、ということを意味する。これらの利点が上述の例示的な実施例の中において使用されるｅＲＥＧ及びＣＣＥの特定の定義に限定されず、他の構成に対しても同様に適用可能である、ということは明らかにされるべきである。
【００８１】
上述のアプローチが与えられたとして、探索空間の設計は、利用可能なｅＲＥＧｓの種々の集約を使用することによって、ローカライズされ分配される送信の両者がＮ＿ＣＣＥ−ｅＰＤＣＣＨＣＣＥｓの所与のセットの中において定義されることができるので、非常に単純化される。ローカライズされる送信が一般的にＵＥに特有のプレコーディングを使用し、一方、分配される送信はＵＥに特有のプレコーディング又はダイバーシティー送信のいずれかを使用することができるが、頻繁にダイバーシティー送信を使用する、ということに注意しなさい。したがって、同じＰＲＢペアの中のＵＥに特有のプレコーディング及びダイバーシティー送信の両者を可能にするための上述の柔軟なアプローチは、所与のＰＲＢペアの中においてｅＲＥＧｓを使用するローカライズされる送信及び分配される送信の両者を支持することに関して対応する柔軟性の中へと直接的に形を変化させる。
【００８２】
上に示されたように、ＵＥは、ｅＰＤＣＣＨに関してＵＥに特有のプレコーディング又はダイバーシティー送信を使用するように構成されることができ、かつ所与のＵＥに対する送信は、同じＰＲＢペアの中で、他のＵＥｓに対する送信を伴って、多重になり得、ここで、送信の各々はＵＥに特有の又はダイバーシティー送信に対して独立して構成されることができる。その後、ローカライズされ分配される送信の両者及びＵＥに特有の及びダイバーシティーを伴う送信を受け入れる探索空間をいかにして定義するか、ということがさらなる問題となる。このことは、以下に説明される第２の実施形態の中で対処され、その第２の実施形態は、有利なことに、上述された解決法と組み合わされ、又はそれらから独立して使用されることができる。
【００８３】
この第２の実施形態に関して、ローカライズされる送信は、同じＰＲＢペアの範囲内又は最大で２個のＰＲＢペアの範囲内のｅＲＥＧｓ及びＣＣＥｓが、ｅＰＤＣＣＨを形成するために集約されるということを意味し、一方、分配される送信は、ｅＰＤＣＣＨの候補が複数のＰＲＢペアから集約されるｅＲＥＧｓ及びＣＣＥｓから成るということを意味する、ということを考慮しなさい。
【００８４】
所与のＰＲＢペアの範囲内からのｅＲＥＧｓ／ＣＣＥｓがローカライズされ又は分配される送信のいずれかに対して柔軟に使用されることを可能にすることは、例えば、各々の要素が所与のＰＲＢの中のＣＣＥ（又はｅＲＥＧ若しくはｅＣＣＥ若しくはＰＲＢペアの中の一連のＲＥｓを意味する任意の他の名前）である、マトリックスを定義することによって成し遂げられることができる。以下の議論が、ＣＣＥが２個のｅＲＥＧｓから成るということを想定する一方で、これはＲＥｓの可能なグループ化のうちのただ１つの非限定的な実施例である、ということが理解されるべきである。
【００８５】
図１９は、探査空間が、定義されたＰＲＢペア毎の４個のＣＣＥを伴う、Ｋ＿ｅＰＤＣＣＨ＝８のＰＲＢペアを備える実施例に対する、そのようなマトリックスの実施例を示している。それ故、この実施例の中に、Ｎ＿ＣＣＥ−ｅＰＤＣＣＨ＝３２のＣＣＥｓが存在する。使用されるＰＲＢペアの指標は、図１９の中において示されるように、０、１、３２、３３、６４、６５、９８、及び９９である。２以上のＰＲＢペアにわたるＣＣＥｓの集約は、水平方向において、分配される送信を提供する。ローカライズされる送信は、単一のＰＲＢペアの範囲内のいくつかのＣＣＥｓの集約を使用して、又は２つの隣接するＰＲＢぺアの範囲内のいくつかのＣＣＥｓを使用して実行されることができ、ここで、ＣＣＥｓは概して垂直方向において集約される。それ故、図１９は、ローカライズ（Ｌ）され分配（Ｄ）されるＣＣＥｓの集約の両者を包含する２次元の探索空間を示している。分配される送信を伴う２つのｅＰＤＣＣＨの候補が、図１９の中において示されており、それぞれＡＬ＝８及びＡＬ＝２である。
【００８６】
ＵＥに対する探索空間の中において利用可能なＣＣＥｓはそれ故、この実施例の中において４×８のマトリックスによって示され、ここで、分配される送信は水平方向におけるＣＣＥｓの集約を意味し、かつローカライズされる送信は垂直方向におけるＣＣＥｓの集約を意味する。ＵＥは、所与のｅＰＤＣＣＨ送信がＵＥに特有の又はダイバーシティー送信のいずれかを使用するように構成され、かつそれ故ＵＥは、上述の第１の実施形態にしたがって、ｅＲＥＧｓを適正なアンテナポートに関連させることができる。この構成は、いくつかの実施形態の中において、ＲＲＣ信号伝達によって取得されることができる。いくつかの場合において、この構成は、どの探索空間にｅＰＤＣＣＨが属するかということに応じる可能性がある。例えば、ｅＰＤＣＣＨが共通の探索空間の中において送信される場合、その後、ダイバーシティー送信がいくつかの実施形態の中において常に想定される。このアプローチはまた、分配される送信がＵＥに特有のプレコーディングを利用することを可能にし、それは所与のＵＥに対する好適なプレコーディング情報が送信された基地局において利用可能な場合に有用であるが、周波数ダイバーシティー送信がいまだ好ましい、ということに注意しなさい。一実施例は、広帯域のプレコーディング及び広帯域のチャネル品質情報（ＣＱＩ）が利用可能な場合である。
【００８７】
第２の実施形態の中で上述された解決法における１つの潜在的な問題は、ＡＬ＝８の分配される送信がＡＬ＞２となる全てのローカライズされる送信を遮断するということである。この問題は、以下に説明される第３の実施形態によって対処される。この第３の実施形態は、任意の又は全ての以前のものと組み合わされることができ、又はそれらから独立して使用されることができる。
【００８８】
最大の周波数ダイバーシティーを取得するために、ｅＰＤＣＣＨは、好ましくは、ＵＥに対して構成される全てのＫ＿ｅＰＤＣＣＨのＰＲＢペアに対してマッピングされるべきである。ｅＰＤＣＣＨがＰＲＢペアを使用している場合には何時も、その後、ＰＤＳＣＨはそのＰＲＢペアの中において送信されることができない、ということが３ＧＰＰの中で合意されてきた。その後、ＰＲＢペア毎にほんの２、３個だけのｅＲＥＧｓしか使用されない場合、それはｅＰＤＣＣＨのロードが低い場合に頻繁に生じるが、ｅＲＥＧｓのうちのほとんどはその後空となる、ということが問題である。このことは、実質的で不必要な制御通信路のオーバーヘッドをもたらす。
【００８９】
さらに、ＵＥは、セルの範囲内の１つの送信ポイントからｅＰＤＣＣＨを受信し、かつ同じセルの範囲内の別の送信ポイントから別のｅＰＤＣＣＨを受信することができる、ということは有益である。例えば、ＵＥに特有の探索空間が同じセルの中において低い出力のノード（時々、「ピコノード」と呼ばれる）から送信される一方で、共通の探索空間が高い出力（マクロ）を伴う送信ポイントから送信される。図２０は、ＵＥがマクロ若しくはピコノードのいずれかから、又は両者のノードから同時発生的に、ｅＰＤＣＣＨ送信を受信する、実施例を示している。これを達成するために、２個の異なるＰＲＢグループが２個のノードに対して使用される。
【００９０】
別の可能なシナリオは、アップリンクグラントが別の送信ポイントから送信される一方で、ダウンリンクの割り当てが１つの送信ポイントから送信されることである。このシナリオの中において、以前のものと同様に、送信ポイントの間で、いかにしてｅＰＤＣＣＨ送信を同じサブフレームの中の同じＵＥに対して適合させるか、ということが問題である。これは、送信ノードの間の速い通信がそこで可能でないように、速いバックハウルが利用可能でない場合に特に問題である。これらの例示的なシナリオの中において、種々の送信ポイントから受信されるｅＰＤＣＣＨの間の受信される出力レベルが、例えば１６デシベル以上のように非常に異なる、ということがさらなる問題となる。このことは、リソース要素の間の信号の漏れのために、隣接するリソース要素を使用する場合にそれらの送信を受信するハードウェアを設計することにおいて、困難をもたらす可能性がある。
【００９１】
制御オーバーヘッド及び種々の送信ポイントからのｅＰＤＣＣＨの受信の上述の問題に対する１つの解決法は、構成されるＫ＿ｅＰＤＣＣＨのＰＲＢのペアのサブセットのみに対して任意の所与のｅＰＤＣＣＨがマッピングされることを、確実にすることである。例えば、これらのＫ＿ｅＰＤＣＣＨのＰＲＢのペアは、最大で４個のＰＲＢペアの各々のＰＲＢペアのグループの中へ分割されることができ、ここで、任意の所与のｅＰＤＣＣＨは、これらのグループのうちの１つに限定される。
【００９２】
それ故、低い制御信号伝達のロードにおいて、構成される全てのＫ＿ｅＰＤＣＣＨのＰＲＢペアがｅＰＤＣＣＨのために使用される訳ではない、ということが確実にされ得る。この場合において、それらのうちの１以上が、代わりにＰＤＳＣＨ送信のために使用されることができ、それ故、制御通信路オーバーヘッドが低減される。さらに、種々の送信ポイントが、これらの４個のＰＲＢペアのグループのうちの種々のものを使用することができる。（４という数が非限定的な実施例であることに、注意しなさい）。それ故、速いバックハウルは、ＰＲＢペアがこれらのグループにしたがって種々の送信ポイントに割り当てられることができるので、送信ポイントの間のｅＰＤＣＣＨ送信を調整することが必要とされない。これは、送信ポイントの間の速いバックハウルを必要としない、半静的な構成となり得る。
【００９３】
送信ポイントに割り当てられるＰＲＢペアのグループの中へ分割された送信を有することはまた、受信出力の不安定という潜在的な問題を低減する。ＤＭＲＳがｅＰＤＣＣＨの復調のために使用されるので、ＵＥは、ＰＲＢペアの第１のグループの中のｅＰＤＣＣＨが１つの送信ポイントから送信され、一方、第２のグループは第２の送信ポイントから送信される、ということに気づいていないことに注意しなさい。ＵＥに対する探索空間が複数のグループを包含する、ということが想定されることにまた注意しなさい。
【００９４】
このアプローチの一変形例において、各々のサブフレームに対する探索空間は、ＰＲＢペアの１つのグループ又はＵＥに対して構成されるグループのサブセットに限定される。それ故、ＵＥは、種々のグループ、種々のサブフレームの中でｅＰＤＣＣＨの候補を探索する。例えば、ダウンリンクの割り当ては、ＰＲＢペアの１つのグループを使用して、１つの送信ポイントからいくつかのサブフレームの中に受信されることができ、一方、アップリンクグラントは、ＰＲＢペアの異なるグループを使用して、別の送信ポイントから、別のサブフレームの中に受信される。このことは、大きな送信出力の差異のｅＰＤＣＣＨを１つの及び同じサブフレームの中に受信することに対する必要性を完全に除去し、それは、ハードウェア実装及び費用を簡略にすることができる利益をもたらす。
【００９５】
上述のアプローチの実施例は、ＰＲＢペアをグループの中へ分割し、図２１の中において示されており、それは、ＵＥに対する探索空間を含んでいる一連のマトリックスを示す。この実施例において、ＣＣＥｓの各々の４×４平方は、ＰＲＢペアの１つのグループに対応する。ここで、ＰＲＢペアの数｛０、３２、６４、９８｝は、ＰＲＢペアのグループ１に属し、かつ｛１、３３、６５、９９｝は、グループ２に属する。各々のＰＲＢペアは、この実施例の中に４個のＣＣＥｓを有している。ＡＬ＝８の送信が、グループ１の中で示され（陰影を伴って示されるＣＣＥｓを使用して）、主として水平方向の中にマッピングされる。このＡＬ＝８の送信は、ＰＲＢペア毎に２個のＣＣＥｓを使用し、かつ４個のＰＲＢペアにわたって広がる。それ故、ＡＬ＝８の送信は分配されるが、１つのＰＲＢペアのグループの範囲内に限定される。さらに、この実施例の中のグループ２は、ＡＬ＝８のローカライズされる送信（主として垂直方向にマッピングされる）、及びＡＬ＝２の分配される送信（水平方向にマッピングされる）に対して使用される。
【００９６】
グループ１の中において示されるｅＰＤＣＣＨがサブフレームの中において送信されてさえいれば、その後、グループ２の全てのＰＲＢペアは、使用されずかつそれ故ＰＤＳＣＨ送信に対して使用されることができる、ということに注意しなさい。このことは、ＡＬ＝８のｅＰＤＣＣＨ送信が、図１９の中において示されている実施例の場合と同様に、全ての８個のＰＲＢペアにわたって広がる場合（すなわち、１つのＣＣＥ／ＰＲＢペアを使用して）、不可能である。さらに、先に説明した柔軟なｅＲＥＧ／ＣＣＥ対アンテナの関連性と組み合わされる場合、２重のアンテナダイバーシティーは、各々のＰＲＢペアの範囲内（実際には各々のＣＣＥの範囲内）において取得されることができる。したがって、図２１の中において示されるＡＬ＝８の送信は、全部で８番目の次数のダイバーシティーを取得する。
【００９７】
ＡＬ＝８の場合において、アンテナダイバーシティーは、図１６から図１８の中において示されるように、各々のＰＲＢペアの中の２個のＣＣＥｓが４個のｅＲＥＧｓのより高い及びより低いサブセットから取得される場合、さらに増加され、それは、これらのサブセットが種々のアンテナポートを使用するからである。例えば、図２１の中において示されるＰＲＢペアのうちの１つの中の第１のＣＣＥは、アンテナポート７及び８のそれぞれに対してマッピングされるｅＲＥＧｓ１及び２を使用し、一方、その同じＰＲＢペアの中の第２のＣＣＥは、アンテナポート９及び１０に対してマッピングされるｅＲＥＧｓ５及び６を使用する。このやり方において、４番目の次数のダイバーシティーは、ＰＲＢペアの範囲内において得られ、全部でＡＬ＝８のｅＰＤＣＣＨに対する１６番目の次数のダイバーシティーをもたらす。図２２は、このアプローチの実施例を示しており、ここで、ＣＣＥｓ（ｅＲＥＧｓグループ）は、各々のＰＲＢペアの範囲内において組み合わされ、ＡＬ＝８のｅＰＤＣＣＨ（平行線模様を伴って示される）が、種々のアンテナポートを使用するｅＲＥＧｓに対してマッピングされることを確実にし、それによって、４番目の次数のアンテナダイバーシティーが各々のＰＲＢペアの範囲内において得られる。
【００９８】
図２１及び図２２の中において示される構成の中において、所与のグループの範囲内のＰＲＢペアは、それらの指標にしたがって増加する次数の中に配置され、かつそれ故、増加する周波数にしたがって配置される。（もちろん、それらを逆の順序で配置することもまた可能である。）ＰＲＢｓはまた、組み合わされたやり方においてグループに対して割り当てられ、例えば、それによって、ＰＲＢペア０はグループ１の中にあり、一方、ＰＲＢペア１はグループ２の中にある。このことは、所与のグループの範囲内における水平方向の中の２個の隣接するＣＣＥｓが、大きなＰＲＢの間隔を有し、かつそれ故、より良い周波数ダイバーシティーがダイバーシティーマッピングに対して得られる、という利点を有する。実施例は、図２１の中におけるＡＬ＝２のマッピングであり、ここで、ＰＲＢペア｛１、３３｝が使用される。このアプローチの変形例において、各々のグループの範囲内におけるＰＲＢペアの次数は、さらにより大きな周波数ダイバーシティーを取得するためにさらに再構成され、それは、平面通信路及び／又は全体の帯域幅が小さい場合において有用である。この実施例は図２３の中において見られ、ここで、２個のＡＬ＝２のｅＰＤＣＣＨ送信は、ＰＲＢペア｛０、６４｝及び｛３２、９８｝をそれぞれ使用する。
【００９９】
さらなる変形例において、グループ毎のＰＲＢペアの数は異なり得る。さらに、いくつかのグループはローカライズされる送信のみを含み、一方、他のものはローカライズされ分配される送信の両者を含む。実施例は図２４の中において与えられ、ここで、第２のグループのみが、３個のＰＲＢペアを有し、かつローカライズされる送信及び／又は分配される送信に対して使用されることができる。もちろん、分配される送信は、この実施例の中においてＡＬ＝２に限定される。ＡＬ＝８までのローカライズされる送信は、１つのＰＲＢペアが４個のみのＣＣＥを包含することができるので、ｅＰＤＣＣＨを２個のＰＲＢペアに対してマッピングすることによって、この実施例及び任意の以前の実施例の中において取得されることができる。
【０１００】
以下は第４の実施形態の詳細な説明であり、それは、任意の若しくは全ての以前のアプローチと組み合わされることができ、又はそれらから独立して使用されることができる。ｅＰＤＣＣＨ送信に対して使用されるＰＲＢペアがＣＲＳ、ＣＳＩ−ＲＳ、ＰＳＳ、ＳＳＳ、ＰＢＣＨ、又はＰＲＳの送信と衝突する場合、その後、ｅＰＤＣＣＨのパンクチャリングが生じ、それによって、これらの衝突信号を運ぶために使用されるＲＥｓは、ｅＰＤＣＣＨのマッピングに対して利用できない。さらに、所与のサブフレームの中においてｅＰＤＣＣＨを運ぶために使用される初めのＯＦＤＭ記号は、サブフレームの中の第１のＯＦＤＭ記号とは異なるように構成され、それは、第１のｎ＝１、２、３、又は４のＯＦＤＭ記号が、従来の制御通信路（ＰＤＣＣＨ、ＰＨＩＣＨ、及びＰＣＦＩＣＨ）を含むからである。両者の場合において、ＲＥｓは、ｅＲＥＧｓから効果的に除去され、かつｅＰＤＣＣＨの中の変調されたｅＰＤＣＣＨ記号のマッピング及び送信のために使用されることができる利用可能なＲＥｓの実際の数は、名目上の、パンクチャリングされない場合よりも小さい。（名目上の、パンクチャリングされない場合は、ＣＲＳ又は従来の制御領域なしの新しいキャリヤタイプの上でのみ存在する）。性能の一貫したレベルを維持するために、このパンクチャリングは、送信されるｅＰＤＣＣＨに対してアグリゲーションレベルを調整することによって、リンク適応を用いて埋め合わせされなければならない。パンクチャリングのレベルはサブフレームの数に応じるので、所与のｅＰＤＣＣＨは、ＤＣＩのペイロード及び通信路状態が同じ場合であっても、種々のサブフレームにおける種々のアグリゲーションレベルを要求する。
【０１０１】
このパンクチャリングのために、ＬＴＥの仕様書のリリース８の中において許容される利用可能なアグリゲーションレベル｛１、２、４、８｝のセットは、適切なリンク適応を提供するために十分ではない。例えば、ｅＰＤＣＣＨのために使用されるＲＥｓの５０パーセントが所与のサブフレームの中においてパンクチャリングされる場合、その後、ＡＬ＝８を使用することは、効果的にＡＬ＝４の送信となる。アグリゲーションレベルにおけるこの効果的な低減は、ｅＰＤＣＣＨの範囲を減少させ、それは問題である。
【０１０２】
本明細書の中において詳細に説明される第４の実施形態にしたがって、利用可能なアグリゲーションレベルのセットは、サブフレームの中のパンクチャリングのレベルに応じ、かつｅＮＢ及びＵＥに知られている。パンクチャリングのレベルが、サブフレーム毎に変化し、かつそれ故、利用可能なＡＬのセットはまたこの場合においてサブフレームに応じる、ということに注意しなさい。一実施例において、５０パーセントのパンクチャリングが存在する場合、その後、ＡＬのセットは｛２、４、８、１６｝である。ＡＬ＝１６のアグリゲーションレベルは、ＰＲＢペア毎に使用されるＣＣＥｓの数を増加させること、又はより多くのＰＲＢペアを使用することのいずれかによって、取得されることができる。図２５は２つの実施例を示しており、それらの各々は、図２１の中において示されたＰＲＢペアの同じ２個のグループに基づく。図２５の左側は、両者のグループからのＰＲＢペアを含んで、より多くのＰＲＢペアを使用することによってＡＬ＝１６が取得される、実施例を示している。図２５の右側は、ＰＲＢ毎に使用されるＣＣＥの数を増加させることによってＡＬ＝１６が代わりに取得される、実施例を示している。
【０１０３】
パンクチャリングのレベルが所与のサブフレームに対して５０パーセント未満である場合において、例えば、その後、アグリゲーションレベルの異なるセットがこのアプローチにしたがって利用可能である。例えば、この場合において利用可能なアグリゲーションレベルのセットは、｛１、２、６、１２｝となり得る。グループの範囲内におけるＰＲＢペアの数はまた、図２６の中において示されている実施例の中において見られるように、増加される。この実施例の中において、５０パーセント未満のパンクチャリングを伴って、ＡＬ＝１２が最大限要求されるＡＬである場合、その後、６個のＰＲＢペアがＰＲＢペア毎に４個のＣＣＥｓを有するグループ１に対して構成されることができる。アグリゲーションレベル｛１、２、３、６、１２｝は、ただちにこの構成の中に収容されることができる。この実施例の中において、グループ２は、ローカライズされる送信のみ、及び／又はＡＬ＝｛１、２｝の分配される送信に対して使用されることができる。
【０１０４】
その後、この技術にしたがって、ｅＰＤＣＣＨ´ｓを形成するために利用可能なアグリゲーションレベルは、サブフレーム毎に変化し、かつサブフレームの範囲内のパンクチャリングのレベルに基づく。この技術は、その用途において、上で使用されたｅＲＥＧｓ及びＣＣＥｓの特定の構成及び定義に限定されるものではなく、他の構成に対しても同様に適用されることができる。さらに、上で使用されたアグリゲーションレベルのセット及び５０パーセントの閾値レベルは単なる実施例であり；特に、ＣＣＥ毎のＲＥｓ及び／又はｅＲＥＧｓの数が先の実施例の中において想定されたものから変化する場合に、他のセットが使用されることが可能である。
【０１０５】
図２７は、リンクの送信側、例えば、ＬＴＥ無線システムの中のｅＮＢにおいて実装されるような、この第４の実施形態による、例示的な方法を示す工程流れ図である。制御情報を送信するための例示されたこの方法は、少なくとも１つのブロックの時間周波数リソース、例えば、ＰＲＢペア、の中のリソース要素の複数の重ならないサブセット、例えば、ｅＲＥＧｓ又はｅＣＣＥＳが、ダウンリンクの制御情報を送信するために集約されることとなる、いくつかのサブフレームの各々に対して繰り返される。
【０１０６】
ブロック２７１０において示されるように、例示的な方法は、ダウンリンクの制御情報を送信するためのリソース要素の重ならないサブセットを集約するために使用されることができる、アグリゲーションレベルのセットのメンバーを決定することによって始まる。この決定は、ダウンリンクの制御情報の送信のために使用されるパンクチャリングのレベルに基づく。例えば、それ故、アグリゲーションレベルの第１のセットは、パンクチャリングのレベルが５０パーセントより小さい場合に使用可能であり、一方、アグリゲーションレベルの第２のセットは、パンクチャリングのレベルが５０パーセント以上である場合に使用可能である。上述された詳細な実施例によって示唆されるように、これらのセットは、いくつかの場合において重なり、その場合、いくつかのアグリゲーションレベルは両者のセットの中において見つかる。しかしながら、他の実施形態において、これらのセットは完全にバラバラになる。
【０１０７】
ブロック２７２０において示されるように、所与のサブフレームに対するダウンリンクの制御情報は、決定されたセットから選ばれるアグリゲーションレベルにしたがって、時間周波数リソースの少なくとも１つのブロックの中のリソース要素の１以上の重ならないサブセットに対してマッピングされる。ブロック２７３０において示されるように、その後、所与のサブフレームに対するダウンリンクの制御情報が、１以上の重ならないサブセットの中において送信される。上述の詳細な実施例によって示されるように、リソース要素の重ならないサブセットは、いくつかの実施形態において、ＣＣＥｓ、ｅＣＣＥｓ、及び／又はｅＲＥＧｓであるが、他のグループ化又はグループ化のための名前が使用される。
【０１０８】
図２７の中において見られることができるように、例示的な方法はいくつかのサブフレームの各々に対して繰り返される。上述したように、パンクチャリングは、サブフレーム毎に変化する。したがって、１つのサブフレームの中において使用可能なアグリゲーションレベルのセットは、次のサブフレームの中に存在するパンクチャリングのレベルに応じて、次のサブフレームの中において使用可能なアグリゲーションレベルのセットとは異なる。
【０１０９】
上で示唆されたように、いくつかの実施形態において、所与のサブフレームの中のダウンリンクの制御情報の送信のために使用されるパンクチャリングのレベルは、サブフレームの中の時間周波数リソースの少なくとも１つのブロックの中において送信される、基準信号の数に応じる。パンクチャリングのレベルは、代わりに又は同様に、時間周波数リソースの少なくとも１つのブロックの中の制御情報のために排他的に蓄えられる直交周波数分割多重（ＯＦＤＭ）記号の数に応じる。
【０１１０】
図２８は、無線通信システムの中のダウンリンクの制御情報を受信するための、すなわち、図２７の中において示された方法を実装するノードからの無線リンクの反対側における受信ノードによって実装されるような、対応する方法を示している。図２８の場合と同様に、例示的な方法は、例えばＰＲＢペアなどの時間周波数リソースの少なくとも１つのブロックの中の、例えばｅＲＥＧｓ又はｅＣＣＥｓなどのリソース要素の複数の重ならないサブセットが、ダウンリンクの制御情報の受信された送信のために集約される、いくつかのサブフレームのうちの各々に対して繰り返される。
【０１１１】
ブロック２８１０において示されるように、例示的な方法は、ダウンリンクの制御情報の受信された送信のためのリソース要素の重ならないサブセットを集約するために使用されることができる、アグリゲーションレベルのセットのメンバーを決定することによって始まる。上述の場合と同様に、この決定は、第１のダウンリンクの制御情報の受信された送信のために使用されるパンクチャリングのレベルに基づき、かつリンクの送信側によって使用される同じ規則又は複数の規則を使用する。ブロック２８２０において示されるように、ダウンリンクの制御情報は、決定されたセットから選ばれたアグリゲーションレベルにしたがって、時間周波数リソースの少なくとも１つのブロックの中のリソース要素の１以上の重ならないサブセットからのダウンリンクの制御情報をマッピング解除することによって受信される。
【０１１２】
前に記述したように、ｅＰＤＣＣＨの送信のために使用されるパンクチャリングは、サブセット毎に変化する。したがって、示された方法のいくつかの実施形態において、上述されたように図２８の中において示された作動の繰り返しは、第２のサブフレームのために第２の繰り返しが行われ、そこにおいて、アグリゲーションレベルの第２のセットのメンバーは、第２のサブフレームの中の第２のダウンリンクの制御情報の受信された送信のために使用されるパンクチャリングのレベルに基づいて決定され、ここで、アグリゲーションレベルの第２のセットは第１のセットとは異なる。その後、第２のダウンリンクの制御情報は、決定された第２のセットから選ばれたアグリゲーションレベルにしたがって、時間周波数リソースの少なくとも１つのブロックの中のリソース要素の１以上の第２の重ならないサブセットからの第２のダウンリンクの制御情報をマッピング解除することによって受信される。
【０１１３】
図２７の中において示された工程を伴う場合と同様に、受信された送信のために使用されるパンクチャリングのレベルは、いくつかの実施形態において、各々のサブフレームの中の時間周波数リソースの少なくとも１つのブロックの中の任意の数の基準信号に応じる。これら又は他の実施形態において、パンクチャリングのレベルは、時間周波数リソースの少なくとも１つのブロックの中の制御情報のために排他的に蓄えられる、任意の数のＯＦＤＭ記号に応じる。
【０１１４】
上述された任意の技術は、第５の実施形態と組み合わせることができ、それはここで詳細に説明される。共通の探索空間（ＣＳＳ）はセルの中の多くの又は全てのＵＥｓによって読まれるので、ＵＥｓが共通の探索空間に対して同じＣＣＥｓを監視するように、いかにしてｅＰＤＣＣＨ送信に対してＰＲＢペアを構成するかということは問題である。さらに、ｅＰＤＣＣＨの中のＣＳＳの監視は、全てではないいくつかのＵＥｓがＰＤＣＣＨの中のＣＳＳを監視するので、ＵＥに特有のものとして構成される。それ故、ＣＳＳがＵＥに特有の探索空間とは異なる個別のＰＲＢペアのリソースを使用する場合、それは有益である。このことはまた、ＵＥに特有の探索空間とは異なるｅＰＤＣＣＨを使用する異なる送信ポイント（マクロ）からのＣＳＳの送信を可能にし、それは、ピコ又は低出力ノードから送信されることができる、ということに注意しなさい。（上述された第３の実施形態を見よ。）
【０１１５】
例えば、これらの問題は、ＰＲＢペアの１つのグループを１次のグループとなるように割り当てることによって対処することができ、それは、ＣＳＳを含んでいるので１次として定義される。この１次のグループは、セルの中の同じＣＳＳを受信する全てのＵＥｓに対して同じＰＲＢペアを含むように構成される。その後、付加的な２次のグループは、より柔軟に構成され、かつそれによって、それらはセルの中の１つのＵＥ又はＵＥｓのサブセットに特有のものとなる。ＵＥに特有の探索空間（ＵＳＳ）に対するセル及び送信ポイントの間の干渉の調整を提供することは有用であり、一方、ＣＳＳに対するマクロの範囲は維持される。
【０１１６】
さらに、１次のグループに対して使用されるＰＲＢペアの識別（例えば、ＰＲＢ指標及びＰＲＢペアの数は、上述の実施形態によるパンクチャリングの量に応じる）は、無線リソース制御（ＲＲＣ）の信号伝達を使用して示されることができ、又はＰＢＣＨメッセージの中の以前に割り当てられていないビットを使用して示されることができる。ＲＲＣ信号伝達の使用は、セルの間の受け渡しにおいて使用されることができ、又は付加的な後方互換性のないキャリヤタイプを構成する場合に使用されることができる。この場合において、１次のセルの上に受信される構成メッセージは、付加的な後方互換性のない新しいキャリヤタイプの１次のグループに対して使用されるＰＲＢペアを示す。
【０１１７】
ＣＳＳを含んでいるＰＲＢペアの１次のグループの位置及びサイズを示すために、ＰＢＣＨを使用することがまた可能である、ということに注意しなさい。これは、独立型のキャリアが使用される場合に特に有用であり、ここで、ＰＤＣＣＨ送信を有していないキャリヤに対する最初のアクセスが実行される。
【０１１８】
最後に、上述のｅＰＤＣＣＨ送信に対する上述の実施形態の全てがまた、アップリンクＰＵＳＣＨ送信に反応してＨＡＲＱ−ＡＣＫ／ＮＡＣＫ送信に適用され得る、ということに注意しなさい。これは、高度ＰＨＩＣＨ（ｅＰＨＩＣＨ）送信によって示されることができる。
【０１１９】
上述されたように、例えば、図２７及び図２８の工程流れ図を説明することに関連して、本明細書の中において説明された様々な方法は、基地局及び携帯端末（例えば、ＬＴＥ  ＵＥｓ）によって実行されることができる。図２９は、図２７の工程フローによる方法などの、これらの方法のうちの１以上を実行するように適合された、一般化された基地局の関連する構成要素を示すブロック図である。図２９の中において見られるように、基地局２９００は、１以上のプロセッサ２９０２を含むことができ、それは、例えば、メモリユニット２９０４によって代表される１以上のメモリ装置の中に記憶されたソフトウェア又はアプリケーションを起動することによって、基地局２９００の他の要素の作動を制御する。基地局２９００はまた、典型的には、１以上のアンテナ２９１０を介して、無線インターフェース２９１２によって、それぞれ無線信号を受信及び送信するように適合された、１以上の受信機チェーン（ＲＸ）２９０６及び送信機チェーン（ＴＸ）２９０６を含むだろう。例えば、これらの無線信号は、上述のようなダウンリンクの制御信号を含む。
【０１２０】
ＵＥｓと通信するために、無線インターフェースによって送信し及び受信するための回路に加えて、基地局２９００はまた典型的に、例えば、モバイルマネージメントエンティティー（ＭＭＥ）及びサービングゲートウェイ（ＳＧＷ）と通信するために適合されたＳ１インターフェース、並びに他の基地局と通信するために適合されたＸ２インターフェースなどの、他のネットワークノードインターフェース２９１４を含む。これらのインターフェースは、ハードウェアの中に実装されるか、又はハードウェア及びソフトウェアの組合わせとすることができる。
【０１２１】
上で説明されかつ図解された技術の多くはまた、基地局からのダウンリンクの制御信号伝達を受信する携帯端末（ＵＥｓ）の作動に影響を与える。例えば、ＵＥがそのようなダウンリンク制御信号伝達を処理し、そのようなダウンリンク制御信号伝達を探索し、及び／又はそのような処理若しくは探索と関連する情報を受信するやり方は、技術によって影響を受ける。例示的なＵＥは、上で詳細に説明された技術のうちの１以上を実行するように適合され、図３０の中において示されている。図の中において見られるように、ＵＥ３０００は、メモリユニット３００４に接続されたプロセッサ３００２を含み、それは、プロセッサ３００２によって遂行されるためのアプリケーション、プログラム、又はソフトウェアを記憶している。プロセッサ３００２は、１以上の受信機チェーン（ＲＸ）３００６と一緒になって、ダウンリンクの制御情報及び／又は上述されたような関連する情報を受信するように、作動するように構成されることができる。ＵＥ３０００はまた、１以上の送信機チェーン３００８（ＴＸ）を含み、それは、ＲＸユニットと一緒になって「トランシーバ」として言及されることができる。ＵＥ３０００はまた、無線信号を受信／送信するためにＲＸ及び／又はＴＸユニットによって使用されることができる、１以上のアンテナ３０１０を含む。
【０１２２】
図２７及び図２８の中においてそれぞれ示されている方法ステップなどの、基地局及び／又はＵＥによって実行される方法ステップは、処理回路の機能的な要素によって実行される。いくつかの実施形態において、これらの機能は、適切にプログラムされたマイクロプロセッサ又はマイクロコントローラそれ自身によって、又は他のデジタルハードウェアと一緒になって実行され、それは、デジタル信号プロセッサ（ＤＳＰｓ）、特殊目的のデジタル論理、及び同様なものを含む。マイクロプロセッサ及びデジタルハードウェアのいずれか又は両者は、メモリの中に記憶されているプログラムコードを遂行するように構成される。再び、無線基地局のためのベースバンド（及び他の）処理回路の設計と関連する様々な詳細及び工学的なトレードオフは、良く知られておりかつ本発明の十分な理解のために不必要であるので、付加的な詳細は本明細書の中において示されていない。
【０１２３】
メモリ回路の中に記憶されるプログラムコードは、リードオンリーメモリ（ＲＯＭ）、ランダムアクセスメモリ、キャッシュメモリ、フラッシュメモリ装置、光記憶装置などの１つ又はいくつかのタイプのメモリを備え、かついくつかの実施形態において、本明細書の中において説明された技術のうちの１以上を実行するための指示と同様に、１以上の遠隔通信及び／又はデータ通信のプロトコルを遂行するためのプログラム指示を含む。もちろん、これらの技術のステップのうちの全ては、必ずしも単一のマイクロプロセッサ又は単一のモジュールにおいてさえ実行されるとは限らない、ということが理解されるだろう。
【０１２４】
上述の実施形態は、以下の利点のうちの１以上を提供することができる。第１に、これらの技術は、ｅＰＤＣＣＨが使用される場合に、制御通信路オーバーヘッドを低減するために使用されることができる。第２に、実施形態のうちのいくつかは、透明なやり方で種々の送信ポイントからのｅＰＤＣＣＨの受信を容易にし、及び／又は同じＵＥに対する異なるｅＰＤＣＣＨのために使用される送信ポイントの間の比較的遅いバックハウルの調整を容易にするために、採用される。さらに、技術のうちのいくつかは、アグリゲーションレベルのセットの適合の使用によって、種々のサブフレームの中でパンクチャリングするｅＰＤＣＣＨの種々の程度の柔軟な適合を可能にする。さらに、他の技術は、ＵＥに特有の又はダイバーシティー送信のいずれかに対するＣＣＥの柔軟な使用を可能にする。
【０１２５】
この最後の利点の１つの結論は、単一のＰＲＢペアの中におけるリソースが、分配される送信と同様に周波数がローカライズされる送信の両者のために、基地局によって使用されることができる、ということである。図３１は、図２８の中において描かれたように基地局の中に実装されるような、このアプローチによる例示的な方法を図解する工程流れ図である。図３１のブロック３１１０において示されるように、無線通信システムの中のダウンリンクの制御情報を送信するための例示的な方法は、第１のＰＲＢペアを使用して、第１のＵＥに対して第１の制御メッセージを送信することから始まる。この第１の制御メッセージは、リソース要素の２以上の第１の重ならないサブセットの間で分割され、それらのうちの少なくとも１つは、第１のＰＲＢペアの中にあり、ここで、リソース要素の２以上の第１の重ならないサブセットは、少なくとも第１のＰＲＢペアの範囲内において周波数がローカライズされるやり方で集約される。これらのリソース要素の２以上の第１の重ならないサブセットは、単一のアンテナポートを使用して送信される。ブロック３１２０において示されるように、基地局はまた、第１のＰＲＢペアをまた使用して、第２の制御メッセージを第２のＵＥに対して送信する。第２の制御メッセージはまた、リソース要素の２以上の第２の重ならないサブセットの間で分割され、それらのうちの少なくとも１つは、第１のＰＲＢペアの中にある。しかしながら、この場合において、リソース要素の２以上の第２の重ならないサブセットは、第１のＰＲＢペア及び１以上の付加的なＰＲＢペアにわたって周波数が分配されるやり方で集約され、かつリソース要素の２以上の第２の重ならないサブセットのうちの少なくとも２つの中の記号は、種々のアンテナポートを使用して送信され、これらの種々のアンテナポートは、リソース要素の２以上の第１の重ならないサブセットの中の記号を送信するために使用される単一のアンテナポートを含んでいる。リソースの重ならないサブセットのうちの各々が、他のグループ化又はグループ化のための名前が使用され得るが、いくつかの実施形態の中において、ロングタームエボリューション（ＬＴＥ）ネットワークの中の高度ＲＥＧ（ｅＲＥＧ）を定義する、ということは理解されるだろう。
【０１２６】
もちろん、本発明は、本明細書の中において具体的に説明されたものとは異なる他のやり方及び他の組み合わせにおいて、本発明の本質的な特性から逸脱することなく実行されることができる。本実施形態は、全ての点において例示的であり限定的ではないものと考えられるべきである。これら及び他の変形例並びに視野に入る拡張を伴って、当業者は、前述の説明及び添付の図面が、データパケットネットワークにおけるロードバランシングを容易にするために、本明細書の中で教示されたシステム及び装置の非限定的な実施例を表現する、ということを理解するだろう。そのように、本発明は、前述の説明及び添付の図面によって限定されるものではない。代わりに、本発明は、以下の特許請求の範囲及びそれらの法的な等価物によってのみ限定される。
【図１】
2018026834.tif 000003
【図２】
2018026834.tif 000004
【図３】
2018026834.tif 000005
【図４】
2018026834.tif 000006
【図５】
2018026834.tif 000007
【図６】
2018026834.tif 000008
【図７】
2018026834.tif 000009
【図８】
2018026834.tif 000010
【図９】
2018026834.tif 000011
【図１０】
2018026834.tif 000012
【図１１】
2018026834.tif 000013
【図１２】
2018026834.tif 000014
【図１３】
2018026834.tif 000015
【図１４】
2018026834.tif 000016
【図１５】
2018026834.tif 000017
【図１６】
2018026834.tif 000018
【図１７】
2018026834.tif 000019
【図１８】
2018026834.tif 000020
【図１９】
2018026834.tif 000021
【図２０】
2018026834.tif 000022
【図２１】
2018026834.tif 000023
【図２２】
2018026834.tif 000024
【図２３】
2018026834.tif 000025
【図２４】
2018026834.tif 000026
【図２５】
2018026834.tif 000027
【図２６】
2018026834.tif 000028
【図２７】
2018026834.tif 000029
【図２８】
2018026834.tif 000030
【図２９】
2018026834.tif 000031
【図３０】
2018026834.tif 000032
【手続補正書】
【提出日】平成29年10月13日(2017.10.13)
【手続補正１】
【補正対象書類名】特許請求の範囲
【補正対象項目名】全文
【補正方法】変更
【補正の内容】
【特許請求の範囲】
【請求項１】
無線通信システムの中においてダウンリンクの制御情報を受信するための方法であって、前記方法は、時間周波数リソースの少なくとも１つのブロックの中のリソース要素の複数の重ならないサブセットが、第１のダウンリンクの制御情報の受信された送信のために集約される、第１のサブフレームに対して、
前記第１のダウンリンクの制御情報の前記受信された送信のためのリソース要素の前記重ならないサブセットを集約するために使用可能なアグリゲーションレベルの第１のセットのメンバーを決定すること（２８１０）を含み、
前記決定することは、ダウンリンクの制御情報のために使用可能なリソース要素の数が閾値以上であるときに、アグリゲーションレベルの或るセットが使用可能であると決定すること、及び、ダウンリンクの制御情報のために使用可能なリソース要素の数が前記閾値未満であるときに、アグリゲーションレベルの他のセットが使用可能であると決定することを含み、
前記他のセットは、前記或るセットの中の全ての前記アグリゲーションレベルよりも高いアグリゲーションレベルを含み、
前記第１のダウンリンクの制御情報を、決定された前記第１のセットから選ばれたアグリゲーションレベルにしたがって、時間周波数リソースの前記少なくとも１つのブロックの中のリソース要素の１以上の第１の重ならないサブセットからの前記第１のダウンリンクの制御情報を、マッピング解除することによって受信すること（２８２０）を含むことを特徴とする、方法。
【請求項２】
第２のサブフレームに対して、
第２のダウンリンクの制御情報の受信された送信のために使用されるパンクチャリングのレベルに基づいて、アグリゲーションレベルの第２のセットのメンバーを決定することをさらに含み、前記第２のセットは前記第１のセットと異なり、
前記第２のダウンリンク制御情報を、決定された前記第２のセットから選ばれたアグリゲーションレベルにしたがって、時間周波数リソースの前記少なくとも１つのブロックの中のリソース要素の１以上の重ならないサブセットからの前記第２のダウンリンクの制御情報を、マッピング解除することによって受信することをさらに含む、請求項１に記載の方法。
【請求項３】
前記他のセットは、１２より高いアグリゲーションレベルを含む、請求項１又は２に記載の方法。
【請求項４】
ダウンリンクの制御情報のために使用可能なリソース要素の数が閾値以上であるときに使用可能なアグリゲーションレベルの前記或るセットは、アグリゲーションレベル１を含み、前記他のセットは、アグリゲーションレベル１を含まない、請求項１から３のいずれか一項に記載の方法。
【請求項５】
使用されるべきダウンリンクの制御情報のために使用可能なリソース要素の前記数は、前記第１のサブフレームの中の時間周波数リソースの前記少なくとも１つのブロックの中の任意の数の基準信号に応じる、請求項１から４のいずれか一項に記載の方法。
【請求項６】
使用されるべきダウンリンクの制御情報のために使用可能なリソース要素の前記数は、時間周波数リソースの前記少なくとも１つのブロックの中の制御情報のために排他的に蓄えられる任意の数の直交周波数分割多重（ＯＦＤＭ）記号に応じる、請求項１から５のいずれか一項に記載の方法。
【請求項７】
時間周波数リソースの前記少なくとも１つのブロックは、ロングタームエボリューション（ＬＴＥ）ネットワークの中の物的リソースブロック（ＰＲＢ）ペアである、請求項１から６のいずれか一項に記載の方法。
【請求項８】
無線通信システムの中のダウンリンクの制御情報を受信するように構成されるユーザ装置であって、前記ユーザ装置は、無線インターフェースを覆う無線信号を受信しかつ送信するように適合される送信機回路（３００８）及び受信機回路（３００６）を備え、かつ１以上の処理回路（３００２、３００４）をさらに備え、前記処理回路（３００２、３００４）は、その中で時間周波数リソースの少なくとも１つのブロックの中のリソース要素の複数の重ならないサブセットが第１のダウンリンクの制御情報の受信された送信のために集約される第１のサブフレームに対して、
前記第１のダウンリンクの制御情報の前記受信された送信のためのリソース要素の前記重ならないサブセットを集約するために使用可能なアグリゲーションレベルの第１のセットのメンバーを決定し、前記決定は、パンクチャリングのレベルが閾値未満であるときに、アグリゲーションレベルの或るセットが使用可能であるとの決定、及び、前記パンクチャリングのレベルが閾値以上であるときに、アグリゲーションレベルの他のセットが使用可能であるとの決定を含み
前記第１のダウンリンクの制御情報を、決定された前記第１のセットから選ばれたアグリゲーションレベルにしたがって、時間周波数リソースの前記少なくとも１つのブロックの中のリソース要素の１以上の第１の重ならないサブセットからの前記第１のダウンリンクの制御情報をマッピング解除することによって、受信するように適合されることを特徴とする、ユーザ装置。
【請求項９】
前記１以上の処理回路（３００２、３００４）は、第２のサブフレームに対して、
第２のダウンリンクの制御情報の受信された送信のために使用されるパンクチャリングのレベルに基づいて、アグリゲーションレベルの第２のセットのメンバーを決定し、前記第２のセットは前記第１のセットと異なり、
前記第２のダウンリンクの制御情報を、決定された前記第２のセットから選ばれたアグリゲーションレベルにしたがって、時間周波数リソースの前記少なくとも１つのブロックの中のリソース要素の１以上の第２の重ならないサブセットからの前記第２のダウンリンクの制御情報をマッピング解除することによって、受信するようにさらに適合される、請求８に記載のユーザ装置。
【請求項１０】
前記他のセットは、１２より高いアグリゲーションレベルを含む、請求項８又は９に記載のユーザ装置。
【請求項１１】
ダウンリンクの制御情報のために使用可能なリソース要素の数が閾値以上であるときに使用可能なアグリゲーションレベルの前記或るセットは、アグリゲーションレベル１を含み、前記他のセットは、アグリゲーションレベル１を含まない、請求項８から１０のいずれか一項に記載のユーザ装置。
【請求項１２】
使用されるべきダウンリンクの制御情報のために使用可能なリソース要素の前記数は、前記第１のサブフレームの中の時間周波数リソースの前記少なくとも１つのブロックの中の任意の数の基準信号に応じる、請求項８から１１のいずれか一項に記載のユーザ装置。
【請求項１３】
使用されるべきダウンリンクの制御情報のために使用可能なリソース要素の前記数は、時間周波数リソースの前記少なくとも１つのブロックの中の制御情報のために排他的に蓄えられる任意の数の直交周波数分割多重（ＯＦＤＭ）記号に応じる、請求項８から１２のいずれか一項に記載のユーザ装置。
【請求項１４】
時間周波数リソースの前記少なくとも１つのブロックは、ロングタームエボリューション（ＬＴＥ）ネットワークの中の物的リソースブロック（ＰＲＢ）ペアである、請求項８から１３のいずれか一項に記載のユーザ装置。
【手続補正書】
【提出日】平成29年10月26日(2017.10.26)
【手続補正１】
【補正対象書類名】明細書
【補正対象項目名】００４８
【補正方法】変更
【補正の内容】
【００４８】
【図１】図１は、ＯＦＤＭ信号の時間周波数リソースのグリッドを図解している。
【図２】図２は、制御信号伝達のうちの１つのＯＦＤＭ記号を伴うＬＴＥ信号のサブフレームを図解している。
【図３】図３は、ＰＲＢペアに対するＵＥに特有の参照記号の例示的なマッピングを図解している。
【図４】図４は、ＬＴＥサブフレームの制御領域に対するＣＣＥのマッピングを図解している。
【図５】図５は、制御通信路メッセージの中へのＣＣＥｓの集約を図解している。
【図６】図６は、例示的な探索空間を図解している。
【図７】図７は、ＬＴＥサブフレームに対する例示的な高度制御通信路領域のマッピングを図解している。
【図８】図８は、例示的な異機種ネットワークを図解している。
【図９】図９は、異機種ネットワークの中のピコノードに対するｅＰＤＣＣＨの割り当てを図解している。
【図１０】図１０は、高度制御領域に対するｅＰＤＣＣＨのローカライズされるマッピングを図解している。
【図１１】図１１は、高度制御領域に対するｅＰＤＣＣＨの分配されるマッピングを図解している。
【図１２】図１２は、今回開示される技術のうちのいくつかが適用される例示的な無線通信ネットワークを図解している。
【図１３】図１３は、ＰＲＢペアに対するｅＲＥＧｓ及びアンテナポートの例示的なマッピングを図解している。
【図１４】図１４は、図１３の例示的なマッピングのためのｅＲＥＧｓに対するアンテナポートの１つの可能な関連を示している。
【図１５】図１５は、図１３の例示的なマッピングのためのｅＲＥＧｓに対するアンテナポートの別の可能な関連を示している。
【図１６】図１６は、８個のｅＲＥＧｓ及び４個のアンテナポートを含む例示的なＰＲＢペアのためのダイバーシティー送信に対するアンテナポートの関連の実施例を図解している。
【図１７】図１７は、８個のｅＲＥＧｓ及び４個のアンテナポートを含む例示的なＰＲＢペアのためのＵＥに特有なプレコーディング送信に対するアンテナポートの関連の実施例を図解している。
【図１８】図１８は、単一のＰＲＢペアの中のダイバーシティー送信及びＵＥに特有のプレコーディング送信の両者に対するアンテナポートの関連の実施例を図解している。
【図１９】図１９は、ローカライズされるＣＣＥｓのアグリゲーション及び分配されるＣＣＥｓのアグリゲーションの両者を含む探索空間の２次元表現を図解している。
【図２０】図２０は、ＵＥが２つのノードのうちの１つ又は両方からｅＰＤＣＣＨ送信を受信する例示的な無線ネットワークの要素を示している。
【図２１】図２１は、探索空間の中のＰＲＢペアが２つのグループに分割される、探索空間の別の表現である。
【図２２】、
【図２３】、
【図２４】、
【図２５】、及び
【図２６】図２２、図２３、図２４、図２５、及び図２６は、２つのグループの探索空間の他の実施例を図解している。
【図２７】図２７は、制御情報を送信するための例示的な方法を図解している工程流れ図である。
【図２８】図２８は、制御情報を受信するための例示的な方法を図解している工程流れ図である。
【図２９】図２９は、本明細書の中において説明される技術のうちの１以上を実行するように適合された例示的な基地局のブロック図である。
【図３０】図３０は、本明細書の中において説明される技術のうちの１以上を実行するように適合された例示的なユーザ装置（ＵＥ）のブロック図である。
【外国語明細書】
2018026834000001.pdf